(57)【要約】【課題】簡単な構造で広範囲の撮影を可能とする。【解決手段】立体視用画像を得るために、被写体を輻輳角を有した複数の屈曲レンズ部による撮像部で撮影すると、初期は、被写体像の鉛直方向軸ＪＡ，ＪＢは左右画像共に平行であるが（Ａ）、被写体が複眼デジタルカメラ側に接近した場合に輻輳角を調整するべく屈曲レンズ部を回動させると、被写体像の被写体像の鉛直方向軸ＪＡ，ＪＢは傾くので（Ｂ）、屈曲レンズ部の回動量に対応する分だけ撮像素子５４から読み出す画像読み出し領域６０を傾ける（Ｃ）。これで、被写体像が回転したことに対応する画像読み出し領域６０となる。【選択図】図６
2011239207.tif 000002
【特許請求の範囲】
【請求項１】
本体に固定された撮像素子と、被写体からの光を前記撮像素子へ向けて屈曲させる屈曲レンズ部を各々含み被写体からの光を前記撮像素子へ向けて照射する複数の撮像光学系であって該複数撮像光学系のうちの少なくとも１つについて前記屈曲レンズ部を前記撮像素子の受光面における光軸を中心として回動可能に設けた撮像光学系、とを有する撮像手段と、
前記屈曲レンズ部を回動したときに前記撮像素子に照射された被写体の光学像の前記撮像素子の受光面における傾き角度を検出する検出手段と、
前記検出手段の検出結果に基づいて、前記撮像素子から画像を読み出すための画像領域を傾けると共に、撮像素子内に収まるように画像領域の大きさを調整する調整手段と、
を備えた撮像装置。
【請求項２】
本体に固定された撮像素子と、被写体からの光を前記撮像素子へ向けて屈曲させる屈曲レンズ部を各々含み被写体からの光を前記撮像素子へ向けて照射する複数の撮像光学系であって該複数撮像光学系のうちの少なくとも１つについて前記屈曲レンズ部を前記撮像素子の受光面における光軸を中心として回動可能に設けた撮像光学系、とを有する撮像手段と、
前記屈曲レンズ部を回動したときに前記撮像素子に照射された被写体の光学像の前記撮像素子の受光面における傾き角度を検出する検出手段と、
前記撮像素子から出力される画像信号に基づいて撮像画像を取得する取得手段と、
前記検出手段の検出結果に基づいて、前記取得した撮像画像に対して画像を切り出すための画像領域を傾けると共に、前記撮像画像の枠内に収まるように画像領域の大きさを調整する調整手段と、
を備えた撮像装置。
【請求項３】
前記本体に固定された撮像素子は単一の撮像素子であり、前記複数の撮像光学系は前記単一の撮像素子へ向けて被写体からの光を照射することを特徴とする請求項１又は請求項２に記載の撮像装置。
【請求項４】
前記検出手段は、前記屈曲レンズ部が前記撮像素子の受光面における光軸を中心として回動した角度を検出することを特徴とする請求項１乃至請求項３の何れか１項に記載の撮像装置。
【請求項５】
前記検出手段は、前記屈曲レンズ部の回動したときに前記撮像素子への被写体の光学像の照射光領域のエッジラインと基準ラインとの角度を検出することを特徴とする請求項１〜請求項４の何れか１項に記載の撮像装置。
【請求項６】
前記撮像手段は、少なくとも屈曲レンズ部が回動した回動側の撮像光学系に該撮像光学系の焦点距離を変更することにより前記撮像手段の画角を変更する画角変更部を具備し、
前記調整手段は、前記回動により傾いた画像が前記撮像素子上の有効画素領域内に収まるように回動側の撮像光学系の画角を変更することを特徴とすることを特徴とする請求項１〜請求項５の何れか１項に記載の撮像装置。
【請求項７】
前記撮像手段は、少なくとも屈曲レンズ部が回動していない非回動側の撮像光学系に該撮像光学系の焦点距離を変更することにより前記撮像手段の画角を変更する画角変更部を具備し、
前記調整手段は、前記回動により傾いた画像に対する画角に基づいて、屈曲レンズ部が回動していない非回動側の撮像光学系の画角をさらに変更することを特徴とする請求項１〜請求項６の何れか１項に記載の撮像装置。
【請求項８】
前記調整手段は、前記回動により傾いた画像に対する画角に基づいて、屈曲レンズ部が回動していない非回動側の画像領域の大きさをさらに変更することを特徴とする請求項１〜請求項７の何れか１項に記載の撮像装置。
【請求項９】
前記調整手段は、前記画像領域として縦横複数の画素が配列された撮像素子の画素数を対応させ、撮像素子の画素数を調整することで画像領域の大きさを調整することを特徴とする請求項１〜請求項８の何れか１項に記載の撮像装置。
【請求項１０】
前記調整手段で調整した画素数に対応する解像度または焦点距離を報知する報知手段をさらに備えたことを特徴とする請求項９に記載の撮像装置。
【請求項１１】
前記調整手段における調整結果が予め定めた調整量を超えたときに、警告する警告手段をさらに備えたことを特徴とする請求項１〜請求項１０の何れか１項に記載の撮像装置。
【請求項１２】
前記調整手段により調整された画像領域により定まる画像を出力する画像出力手段をさらに備えたことを特徴とする請求項１〜請求項１１の何れか１項に記載の撮像装置。
【請求項１３】
前記撮像光学系の少なくとも２つについて、前記撮像素子に照射される被写体像の一部が重複するまたは連結するように前記屈曲レンズ部を回動させる回動制御手段をさらに備えたことを特徴とする請求項１〜請求項１２の何れか１項に記載の撮像装置。
【請求項１４】
前記回動制御手段は、前記屈曲レンズ部を複数回数による回動をさせて該回動毎に撮像指示させることを特徴とする請求項１３に記載の撮像装置。
【請求項１５】
前記撮像手段の複数撮像光学系により得られる画像について、複数の視点から各々同期して撮影された複数の画像のうち何れか１つを基準画像として取得しかつ、該基準画像と異なる画像を視差画像として該基準画像と視差画像とから得られる立体視用画像を作成する作成手段をさらに備えたことを特徴とする請求項１〜請求項１２の何れか１項に記載の撮像装置。
【請求項１６】
本体に固定された撮像素子と、被写体からの光を前記撮像素子へ向けて屈曲させる屈曲レンズ部を各々含み被写体からの光を前記撮像素子へ向けて照射する複数の撮像光学系であって該複数撮像光学系のうちの少なくとも１つについて前記屈曲レンズ部を前記撮像素子の受光面における光軸を中心として回動可能に設けた撮像光学系、とを有する撮像装置の撮像制御方法であって、
前記屈曲レンズ部を回動したときに前記撮像素子に照射された被写体の光学像の前記撮像素子の受光面における傾き角度を検出する検出工程と、
前記検出手段の検出結果に基づいて、前記撮像素子から画像を読み出すための画像領域を傾けると共に、撮像素子内に収まるように画像領域の大きさを調整する調整工程と、
を含む撮像制御方法。
【請求項１７】
本体に固定された撮像素子と、被写体からの光を前記撮像素子へ向けて屈曲させる屈曲レンズ部を各々含み被写体からの光を前記撮像素子へ向けて照射する複数の撮像光学系であって該複数撮像光学系のうちの少なくとも１つについて前記屈曲レンズ部を前記撮像素子の受光面における光軸を中心として回動可能に設けた撮像光学系、とを有する撮像装置の撮像制御方法であって、
前記屈曲レンズ部を回動したときに前記撮像素子に照射された被写体の光学像の前記撮像素子の受光面における傾き角度を検出工程と、
前記撮像素子から出力される画像信号に基づいて撮像画像を取得する取得工程と、
前記検出手段の検出結果に基づいて、前記取得した撮像画像に対して画像を切り出すための画像領域を傾けると共に、前記撮像画像の枠内に収まるように画像領域の大きさを調整する調整工程と、
を含む撮像制御方法。
【請求項１８】
本体に固定された撮像素子と、被写体からの光を前記撮像素子へ向けて屈曲させる屈曲レンズ部を各々含み被写体からの光を前記撮像素子へ向けて照射する複数の撮像光学系であって該複数撮像光学系のうちの少なくとも１つについて前記屈曲レンズ部を前記撮像素子の受光面における光軸を中心として回動可能に設けた撮像光学系、とを有する撮像装置の撮像制御プログラムであって、
前記屈曲レンズ部を回動したときに前記撮像素子に照射された被写体の光学像の前記撮像素子の受光面における傾き角度を検出する検出ステップと、
前記検出手段の検出結果に基づいて、前記撮像素子から画像を読み出すための画像領域を傾けると共に、撮像素子内に収まるように画像領域の大きさを調整する調整ステップと、
をコンピュータに実行させるための撮像制御プログラム。
【請求項１９】
本体に固定された撮像素子と、被写体からの光を前記撮像素子へ向けて屈曲させる屈曲レンズ部を各々含み被写体からの光を前記撮像素子へ向けて照射する複数の撮像光学系であって該複数撮像光学系のうちの少なくとも１つについて前記屈曲レンズ部を前記撮像素子の受光面における光軸を中心として回動可能に設けた撮像光学系、とを有する撮像装置の撮像制御プログラムであって、
前記屈曲レンズ部を回動したときに前記撮像素子に照射された被写体の光学像の前記撮像素子の受光面における傾き角度を検出ステップと、
前記撮像素子から出力される画像信号に基づいて撮像画像を取得する取得ステップと、
前記検出手段の検出結果に基づいて、前記取得した撮像画像に対して画像を切り出すための画像領域を傾けると共に、前記撮像画像の枠内に収まるように画像領域の大きさを調整する調整ステップと、
をコンピュータに実行させるための撮像制御プログラム。
【発明の詳細な説明】
【技術分野】
【０００１】
本発明は、撮像装置、撮像制御方法、及び撮像制御プログラムに係り、特に複数の撮像光学系により被写体を撮像して広角画像や立体視用画像を得る撮像装置、撮像制御方法、及び撮像制御プログラムに関する。
【背景技術】
【０００２】
広範囲の視野画像を得るために単眼で撮影するパノラマカメラが知られている。また、被写体の３次元画像を得るために、複数の撮像光学系を備えた複眼撮像装置やステレオカメラが知られている。
【０００３】
例えば、一対の撮影手段を輻輳角を有するように設けて、その輻輳角を変更可能にする変更手段を備えた複眼撮影装置が提案されている（特許文献１参照。）。特許文献１の複眼撮像装置では、一対の撮影手段を輻輳角を有するように設けて、その輻輳角を変更可能にすることで、被写体までの距離による影響の抑制を可能としている。
【０００４】
また、左右に非対称非球面のオフアキシャル反射面および正の屈折力を持つプリズムを具備した撮像系を輻輳角を有するように設けて、その輻輳角を変更可能にした複眼撮影装置が提案されている（特許文献２参照）。特許文献２の複眼撮影装置では、オフアキシャル光学系によって、パノラマ画像を合成するときに左右の中心視点の違いによる見かけ上の台形歪みを抑制している。
【０００５】
また、間隔を隔てた一対の撮影手段の光軸が交差するように一方の撮影手段の撮影角度を変更する撮影システムが提案されている（特許文献３参照）。特許文献３の撮影システムでは、主要被写体上において光軸が交差するように撮影角度を変更することで、立体視用の画像を生成している。
【先行技術文献】
【特許文献】
【０００６】
【特許文献１】特開２００８−２３３５７９号公報
【特許文献２】特開２０００−２３１９９号公報
【特許文献３】特開２００８−２１６５１３号公報
【発明の概要】
【発明が解決しようとする課題】
【０００７】
しかしながら、特許文献１の技術では、撮影手段の全体を回転させて輻輳角を変更するため、複雑かつ大規模な装置を必要とする。
【０００８】
また、特許文献２の技術では、光学系が非対称非球面で作成されるため、複雑な構造であり、また稼働機構は大型化を避けることができない。
【０００９】
また、特許文献３の技術では、間隔を隔てた一対の撮影手段を移動させて光軸を交差させる必要があり、複雑な構造であり、また装置の大型化を避けることができない。
【００１０】
本発明は、上記事実を考慮してなされたもので、簡単な構造で広範囲の撮影を可能とすることができる撮像装置、撮像制御方法、及び撮像制御プログラムを提供することを目的とする。
【課題を解決するための手段】
【００１１】
上記目的を達成するために、本発明の撮像装置は、本体に固定された撮像素子と、被写体からの光を前記撮像素子へ向けて屈曲させる屈曲レンズ部を各々含み被写体からの光を前記撮像素子へ向けて照射する複数の撮像光学系であって該複数撮像光学系のうちの少なくとも１つについて前記屈曲レンズ部を前記撮像素子の受光面における光軸を中心として回動可能に設けた撮像光学系、とを有する撮像手段と、前記屈曲レンズ部を回動したときに前記撮像素子に照射された被写体の光学像の前記撮像素子の受光面における傾き角度を検出する検出手段と、前記検出手段の検出結果に基づいて、前記撮像素子から画像を読み出すための画像領域を傾けると共に、撮像素子内に収まるように画像領域の大きさを調整する調整手段と、を備える。
【００１２】
本発明の撮像装置によれば、撮像手段は、本体に固定された撮像素子と撮像光学系を備える。撮像光学系は、被写体からの光を撮像素子へ向けて屈曲させる屈曲レンズ部を各々含み被写体からの光を前記撮像素子へ向けて照射する複数の撮像光学系であって該複数撮像光学系のうちの少なくとも１つについて屈曲レンズ部を撮像素子の受光面における光軸を中心として回動可能に設けられている。屈曲レンズ部を回動可能とするためには、射出光軸を基準として旋回可能にしたり、射出光軸を基準として撮像素子の受光面への入射光軸を中心として回動する回動部を有したりすればよい。この屈曲レンズ部を回動すると、固定された撮像素子上の画像は、光軸を中心として回転する。従って、屈曲レンズ部の回動により画像が傾くことになる。
【００１３】
そこで、検出手段により、屈曲レンズ部を回動したときの撮像素子に照射された被写体の光学像の撮像素子の受光面における傾き角度を検出する。この検出は、撮像素子上における被写体の光学像の回転を検出できればよく、屈曲レンズ部の回動を検出したり、直接、画像の傾きを検出したりすればよい。検出手段の検出結果に基づいて、調整手段は、撮像素子から画像を読み出すための画像領域を傾けると共に、撮像素子内に収まるように画像領域の大きさを調整する。撮像素子へ照射される画像は傾くが、撮像素子からそのまま読み出したのでは、傾いた画像を得ることになる。このため、撮像素子の画像読み出す領域を傾けることにより、屈曲レンズ部の回動に伴う画像の回転に応じた読み出すための画像領域となる。また、撮像素子内に収まるように画像領域の大きさを調整することにより、画像が欠けたり、縮小されずぎたりすることがない。
【００１４】
このように、屈曲レンズ部を回動させて被写体への方向を変更するとき、撮像素子上で回転する被写体の光学像の傾きを検出して、撮像素子から画像を読み出すための画像領域を傾けかつ撮像素子内に収まるように画像領域の大きさを調整するので、得られる画像に対する屈曲レンズ部の回動による影響を抑制でき、広範囲にわたる撮影が可能となる。
【００１５】
[2]   他の発明の撮像装置は、本体に固定された撮像素子と、被写体からの光を前記撮像素子へ向けて屈曲させる屈曲レンズ部を各々含み被写体からの光を前記撮像素子へ向けて照射する複数の撮像光学系であって該複数撮像光学系のうちの少なくとも１つについて前記屈曲レンズ部を前記撮像素子の受光面における光軸を中心として回動可能に設けた撮像光学系、とを有する撮像手段と、前記屈曲レンズ部を回動したときに前記撮像素子に照射された被写体の光学像の前記撮像素子の受光面における傾き角度を検出する検出手段と、前記撮像素子から出力される画像信号に基づいて撮像画像を取得する取得手段と、前記検出手段の検出結果に基づいて、前記取得した撮像画像に対して画像を切り出すための画像領域を傾けると共に、前記撮像画像の枠内に収まるように画像領域の大きさを調整する調整手段と、を備える。
【００１６】
他の発明の撮像装置によれば、取得手段により撮像素子から出力される画像信号に基づいて撮像画像を取得する。調整手段は、検出手段の検出結果に基づいて、取得した撮像画像に対して画像を切り出すための画像領域を傾けると共に、撮像画像の枠内に収まるように画像領域の大きさを調整する。撮像素子へ照射される画像は傾いており、そのまま画像を取得すると、傾いた画像を含んだ画像を取得する。そこで、取得した画像から画像を切り出すときの画像領域を傾けることにより、屈曲レンズ部の回動に伴う画像の回転に応じた画像領域となる。また、撮像画像内に収まるように画像領域の大きさを調整することにより、画像が欠けたり、縮小されずぎたりすることがない。
【００１７】
このように、屈曲レンズ部を回動させて被写体への方向を変更するとき、撮像素子上で回転する被写体の光学像の傾きを検出して、取得した撮像画像に対して画像を切り出すための画像領域を傾けかつ撮像素子内に収まるように画像領域の大きさを調整するので、得られる画像に対する屈曲レンズ部の回動による影響を抑制でき、広範囲にわたる撮影が可能となる。
【００１８】
[3]   前記撮像装置において、前記本体に固定された撮像素子は単一の撮像素子であり、前記複数の撮像光学系は前記単一の撮像素子へ向けて被写体からの光を照射することを特徴とする。
【００１９】
前記撮像素子を単一で本体に固定した場合に、複数の撮像光学系による被写体からの光を単一の撮像素子へ向けて照射することで、撮像素子を複数設けることなく、兼用させることができる。この場合、単一の撮像素子上で、撮像光学系毎に照射領域を指定してもよく、時分割で撮像してもよい。
【００２０】
[4] 前記撮像装置において、前記検出手段は、前記屈曲レンズ部が前記撮像素子の受光面における光軸を中心として回動した角度を検出することを特徴とする。屈曲レンズ部の回動と、画像の傾きは連動する。従って、検出手段による画像の傾き検出は、屈曲レンズ部を回動した角度を検出することで、簡単に傾きを検出することができる。
【００２１】
[5] 前記撮像装置において、前記検出手段は、前記屈曲レンズ部の回動したときに前記撮像素子への被写体の光学像の照射光領域のエッジラインと基準ラインとの角度を検出することを特徴とする。屈曲レンズ部を回動したときの撮像素子に照射された画像の傾きは、撮像素子からの信号により直接検出できる。詳細には、照射された画像が傾くと、撮像素子に照射される光は、その端部（エッジ）も傾く。そこで、撮像素子から画像を読み出す場合、撮像素子の基準端部（基準エッジ）を予め定めておけば、基準エッジによる基準ラインと端部のエッジラインとのなす角度により、容易に傾きを求めることができる。従って、撮像素子上において画像領域を傾けることができる。また、撮像素子から出力される画像信号に基づき取得した撮像画像に対して画像を切り出す場合、取得した撮像画像の枠などを基準端部（基準エッジ）として予め定めておく。このようにすることで、基準エッジによる基準ラインと、被写体の光学像の照射光領域のエッジラインとのなす角度により、容易に傾きを求めることができる。従って、撮像画像上において画像領域を傾けることができる。なお、より明瞭にエッジ検出するためには、撮像光学系に四角形の開口を有するスリットを設けることが好ましい。
【００２２】
[6] 前記撮像装置において、前記撮像手段は、少なくとも屈曲レンズ部が回動した回動側の撮像光学系に該撮像光学系の焦点距離を変更することにより前記撮像手段の画角を変更する画角変更部を具備し、前記調整手段は、前記回動により傾いた画像が前記撮像素子上の有効画素領域内に収まるように回動側の撮像光学系の画角を変更することを特徴とする。この撮像素子上の有効画素領域とは、撮像素子上の画素について、撮像素子から画像を読み出す場合や撮像素子から出力される画像信号に基づき取得した撮像画像に対して画像を切り出す場合に、有効となる画素の集合範囲をいう。撮像装置は、光学系にズーム機能を有するものが知られている。そこで、ズーム装置等のように、撮像光学系の焦点距離を調整する画角調整部を具備することにより、撮像手段の画角調整が容易となる。これにより、撮像素子へ照射される画像の大きさを調整でき、画像領域の大きさ調整も容易となる。
【００２３】
なお、前記撮像装置において、前記屈曲レンズ部は、光路変更のためのプリズムまたは反射ミラーを採用できる。このように、プリズムや反射ミラーを用いることにより、軽量かつ単純な構造で、製造が簡単なものを得ることができる。また、軽量かつ単純な構造のプリズムや反射ミラーを用いることで、それを回動させることは容易となる。
【００２４】
[7] 前記撮像装置において、前記撮像手段は、少なくとも屈曲レンズ部が回動していない非回動側の撮像光学系に該撮像光学系の焦点距離を変更することにより前記撮像手段の画角を変更する画角変更部を具備し、前記調整手段は、前記回動により傾いた画像に対する画角に基づいて、屈曲レンズ部が回動していない非回動側の撮像光学系の画角をさらに変更することを特徴とする。撮像装置に、回動しない屈曲レンズ部を含むとき、回動した屈曲レンズ部を経由した画像と、回動しない屈曲レンズ部を経由した画像とは画像の傾きが相違する。このため、例えば、回動により傾いた画像に対する画角に一致するように、屈曲レンズ部を回動していない非回動側の撮像光学系の画角を変更することによって、画角が一致し、画像の大きさを合致させることができる。
【００２５】
[8] 前記撮像装置において、前記調整手段は、前記回動により傾いた画像に対する画角に基づいて、屈曲レンズ部が回動していない非回動側の画像領域の大きさをさらに変更することを特徴とする。撮像装置に、回動しない屈曲レンズ部を含むとき、回動した屈曲レンズ部を経由した画像と、回動しない屈曲レンズ部を経由した画像とは画像の傾きが相違する。このため、例えば、回動により傾いた画像に対する画角に一致するように、屈曲レンズ部を回動していない非回動側の画像領域の大きさをを変更することによって、画角が一致し、画像の大きさを合致させることができる。
【００２６】
[9] 前記撮像装置において、前記調整手段は、前記画像領域として縦横複数の画素が配列された撮像素子の画素数を対応させ、撮像素子の画素数を調整することで画像領域の大きさを調整することを特徴とする。ＣＣＤ等の縦横複数の画素が配列された撮像素子を用いる場合、画像の傾きに見合う縦横の画素を選択することで、画像領域の大きさを設定できる。
【００２７】
[10]前記撮像装置において、前記調整手段で調整した画素数に対応する解像度または焦点距離を報知する報知手段をさらに備えたことを特徴とする。画像の傾きに見合う縦横の画素を選択することは、解像度を選択することに対応する。すなわち、画像が傾く前の画素数Ｍ１に対して画像が傾いた後の画素数Ｍ２では、その比率（Ｍ２／Ｍ１）に応じて解像度が変更したことに相当する。また、画像が傾く前の画素数Ｍ１による画像幅Ｎ１に対して画像が傾いた後の画素数Ｍ２によるＮ２では、その比率（Ｎ２／Ｎ１）に応じて焦点距離が変更したことに相当する。そこで、調整手段で調整した画素数に対応する解像度または焦点距離を報知することにより、ユーザに対して事前に撮影条件を報知することが可能となる。
【００２８】
[11]前記撮像装置において、前記調整手段における調整結果が予め定めた調整量を超えたときに、警告する警告手段をさらに備えたことを特徴とする。ユーザは撮像素子の画像読み出し領域を傾けたり、撮像素子内に収まるように画像読み出し領域の大きさを調整したりすることについて、極端な調整を好まない場合もある。そこで、調整手段における調整結果が予め定めた調整量（例えば標準的なユーザの意図を定めた値）を超えたときに、例えば撮影不可能を示す警告することで、ユーザに対して例えば極端な調整になることを事前に把握させることができ、ユーザの意図から逸脱した調整を回避することができる。
【００２９】
[12]前記撮像装置において、前記調整手段により調整された画像領域により定まる画像を出力する画像出力手段をさらに備えたことを特徴とする。この画像出力手段を備えることで、調整された画像領域による画像を、表示したり記録したり送信したりすることができる。
【００３０】
なお、前記撮像装置において、前記画像出力手段は、画像を表示する表示部を有し、前記撮像素子の画像領域の傾け量に基づいて傾けた格子線を生成し出力する格子線生成手段を含むようにしてもよい。表示部に画像を表示する場合、画像が傾くと、ユーザは撮影の感覚がずれたり、違和感を感じたりする場合が多い。そこで、画像領域の傾け量に基づいて傾けた格子線を生成し出力することで、画像に格子線を共に表示する。これにより、ユ０−ザに対して格子線（例えばグリッド）によって画像の傾きを提示でき、撮影の支援をすることが可能となる。
【００３１】
[13]前記撮像装置において、前記撮像光学系の少なくとも２つについて、前記撮像素子に照射される被写体像の一部が重複するまたは連結するように前記屈曲レンズ部を回動させる回動制御手段をさらに備えたことを特徴とする。複数の撮像光学系による画像の一部を重複させたり、連結させたりすることにより、複数画像から大きいサイズの画像（例えば広い画角で撮影したかような画像）を得ることができる。
【００３２】
[14]前記撮像装置において、前記回動制御手段は、前記屈曲レンズ部を複数回数による回動をさせて該回動毎に撮像指示させることを特徴とする。このように、屈曲レンズ部を複数回数による回動をさせて該回動毎に撮像指示させることにより、広範囲、例えば周辺３６０度の画角で撮影したかのような撮影画像を得ることができる。
【００３３】
[15]前記撮像装置において、前記撮像手段の複数撮像光学系により得られる画像について、複数の視点から各々同期して撮影された複数の画像のうち何れか１つを基準画像として取得しかつ、該基準画像と異なる画像を視差画像として該基準画像と視差画像とから得られる立体視用画像を作成する作成手段をさらに備えたことを特徴とする。このように、立体視用画像を作成する作成手段によって、立体視用画像をユーザへ提供することが容易となる。
【００３４】
[16]本発明の撮像制御方法は、本体に固定された撮像素子と、被写体からの光を前記撮像素子へ向けて屈曲させる屈曲レンズ部を各々含み被写体からの光を前記撮像素子へ向けて照射する複数の撮像光学系であって該複数撮像光学系のうちの少なくとも１つについて前記屈曲レンズ部を前記撮像素子の受光面における光軸を中心として回動可能に設けた撮像光学系、とを有する撮像装置の撮像制御方法であって、前記屈曲レンズ部を回動したときに前記撮像素子に照射された被写体の光学像の前記撮像素子の受光面における傾き角度を検出する検出工程と、前記検出手段の検出結果に基づいて、前記撮像素子から画像を読み出すための画像領域を傾けると共に、撮像素子内に収まるように画像領域の大きさを調整する調整工程と、を含む。
【００３５】
[17]他の発明の撮像制御方法は、本体に固定された撮像素子と、被写体からの光を前記撮像素子へ向けて屈曲させる屈曲レンズ部を各々含み被写体からの光を前記撮像素子へ向けて照射する複数の撮像光学系であって該複数撮像光学系のうちの少なくとも１つについて前記屈曲レンズ部を前記撮像素子の受光面における光軸を中心として回動可能に設けた撮像光学系、とを有する撮像装置の撮像制御方法であって、前記屈曲レンズ部を回動したときに前記撮像素子に照射された被写体の光学像の前記撮像素子の受光面における傾き角度を検出工程と、前記撮像素子から出力される画像信号に基づいて撮像画像を取得する取得工程と、前記検出手段の検出結果に基づいて、前記取得した撮像画像に対して画像を切り出すための画像領域を傾けると共に、前記撮像画像の枠内に収まるように画像領域の大きさを調整する調整工程と、を含む。
【００３６】
[18]本発明の撮像制御プログラムは、本体に固定された撮像素子と、被写体からの光を前記撮像素子へ向けて屈曲させる屈曲レンズ部を各々含み被写体からの光を前記撮像素子へ向けて照射する複数の撮像光学系であって該複数撮像光学系のうちの少なくとも１つについて前記屈曲レンズ部を前記撮像素子の受光面における光軸を中心として回動可能に設けた撮像光学系、とを有する撮像装置の撮像制御プログラムであって、前記屈曲レンズ部を回動したときに前記撮像素子に照射された被写体の光学像の前記撮像素子の受光面における傾き角度を検出する検出ステップと、前記検出手段の検出結果に基づいて、前記撮像素子から画像を読み出すための画像領域を傾けると共に、撮像素子内に収まるように画像領域の大きさを調整する調整ステップと、をコンピュータに実行させる。
【００３７】
[19]他の発明の撮像制御プログラムは、本体に固定された撮像素子と、被写体からの光を前記撮像素子へ向けて屈曲させる屈曲レンズ部を各々含み被写体からの光を前記撮像素子へ向けて照射する複数の撮像光学系であって該複数撮像光学系のうちの少なくとも１つについて前記屈曲レンズ部を前記撮像素子の受光面における光軸を中心として回動可能に設けた撮像光学系、とを有する撮像装置の撮像制御プログラムであって、前記屈曲レンズ部を回動したときに前記撮像素子に照射された被写体の光学像の前記撮像素子の受光面における傾き角度を検出ステップと、前記撮像素子から出力される画像信号に基づいて撮像画像を取得する取得ステップと、前記検出手段の検出結果に基づいて、前記取得した撮像画像に対して画像を切り出すための画像領域を傾けると共に、前記撮像画像の枠内に収まるように画像領域の大きさを調整する調整ステップと、をコンピュータに実行させる。
【発明の効果】
【００３８】
以上説明したように、本発明によれば、屈曲レンズ部を回動させて被写体への方向を変更するとき、撮像素子上で回転する画像の傾きを検出して、画像を得るための画像領域を傾けかつ撮像素子内に収まるように画像領域の大きさを調整するので、得られる画像に対する屈曲レンズ部の回動による影響を抑制でき、広範囲にわたる撮影を可能とすることができる、という効果が得られる。
【図面の簡単な説明】
【００３９】
【図１】第１実施形態の複眼デジタルカメラの正面側斜視図である。
【図２】第１実施形態の複眼デジタルカメラの背面側斜視図である。
【図３】撮像ユニットの内部構成を示す概略図であり、（Ａ）は正面図、（Ｂ）は側面図、（Ｃ）は屈曲レンズ部が回動した状態を示す上面図である。
【図４】複眼デジタルカメラの電装部分について概略構成を示すブロック図である。
【図５】立体視用画像を得るために被写体を撮影するときに被写体と屈曲レンズ部との関係を示すイメージ図である。
【図６】屈曲レンズ部の回動による左右画像と画像読み出し領域の関係を示すイメージ図であり、（Ａ）は初期状態、（Ｂ）は接近状態、（Ｃ）は傾いた画像読み出し領域を示す。
【図７】被写体を撮影するときに一方の屈曲レンズ部を回動させたときの被写体と屈曲レンズ部との関係を示すイメージ図である。
【図８】第１実施形態の画像処理ルーチンの流れを示すフローチャートである。
【図９】第２実施形態の画像処理ルーチンの流れを示すフローチャートである。
【図１０】撮像画像から画像の傾きを算出することの説明図であり、（Ａ）は初期状態、（Ｂ）は回動後の状態を示す。
【図１１】第３実施形態の画像処理ルーチンの流れを示すフローチャートである。
【図１２】第４実施形態の画像処理ルーチンの流れを示すフローチャートである。
【図１３】撮影部のズーム機構の調整過程を示すイメージ図であり、（Ａ）は初期状態、（Ｂ）は回動後の状態、（Ｃ）はズーム駆動後の状態を示す。
【図１４】第５実施形態の画像処理ルーチンの流れを示すフローチャートである。
【図１５】第６実施形態の画像処理ルーチンの流れを示すフローチャートである。
【図１６】グリッド回転の説明図であり、（Ａ）は初期表示、（Ｂ）は回動後の表示を示す。
【図１７】第７実施形態に係る幅広の広角画像を得るための被写体と撮像ユニットの関係を示すイメージ図である。
【図１８】第７実施形態に係る幅広の広角画像を得る過程の説明図であり、（Ａ）は初期状態、（Ｂ）は回動後の状態、（Ｃ）は画像読み出し領域設定状態、（Ｄ）は画像を合成した状態を示す。
【図１９】第７実施形態の画像処理ルーチンの流れを示すフローチャートである。
【図２０】第８実施形態の複眼デジタルカメラの正面側斜視図である。
【図２１】第８実施形態の複眼デジタルカメラの背面側斜視図である。
【図２２】第８実施形態に係る全方位画像を得るための被写体と撮像ユニットの関係を示すイメージ図である。
【図２３】全方位画像の配列を示すイメージ図である。
【図２４】第７実施形態の画像処理ルーチンの流れを示すフローチャートである。
【図２５】複眼デジタルカメラで相違した回動角度で画像を得るために被写体を撮影するときに被写体と屈曲レンズ部との関係を示すイメージ図である。
【図２６】複眼デジタルカメラで一方の撮影部の撮像ユニットの屈曲レンズ部を回動させて画像を得るために被写体を撮影するときに被写体と屈曲レンズ部との関係を示すイメージ図である。
【図２７】第９実施形態の画像処理ルーチンの流れを示すフローチャートである。
【図２８】屈曲レンズ部の回動による左右画像と画像読み出し領域の関係を示すイメージ図であり、（Ａ）は初期状態、（Ｂ）は非回動側での光学調整状態、（Ｃ）は回動側での光学調整状態、（Ｄ）は非回動側での電気調整状態を示す。
【図２９】第１０実施形態の撮影部における撮像素子から全画素を読み出してなる画像から切り出して画像を形成する過程の説明図であり、（Ａ）は回動角度が初期値のとき、（Ｂ）は屈曲レンズ部を回動させたとき、（Ｃ）は画像切り出し領域を設定したとき、（Ｄ）は切り出したときを示す。
【図３０】第１１実施形態の複眼デジタルカメラにおける撮像ユニット周辺の構成を示す概略図であり、（Ａ）は撮像ユニットの上面図、（Ｂ）は背面図、（Ｃ）は画像分割の変形例を示す。
【発明を実施するための形態】
【００４０】
以下、図面を参照して、本発明の実施の形態を詳細に説明する。なお、本実施の形態では、本発明の撮像装置を複眼デジタルカメラに適用した場合について説明する。
【００４１】
〔第１実施形態〕
第１実施形態は、複眼デジタルカメラにおいて、立体視用画像を得るための輻輳角の調整を簡単な構成で容易に処理するものである。
【００４２】
図１は、第１実施形態の複眼デジタルカメラ１の正面側斜視図、図２は背面側斜視図である。図１に示すように、複眼デジタルカメラ１の上部には、レリーズボタン２、電源ボタン３、及びズームレバー４が備えられている。また、複眼デジタルカメラ１の正面には、フラッシュ５及び２つの撮影部２１Ａ、２１Ｂのレンズが配設されている。また、複眼デジタルカメラの１の背面には、各種表示を行う液晶モニタ７、及び各種操作ボタン８が配設されている。２つの撮影部２１Ａ、２１Ｂの各々は、撮像ユニット６を含んでいる。
【００４３】
なお、本実施形態では、撮像ユニット６を２つの撮影部２１Ａ、２１Ｂの各々が含む構成について説明するが、何れか一方のみに具備する場合にも以下の説明は適用可能である。
【００４４】
図３は、撮像ユニット６の内部構成を示す概略図である。図３（Ａ）は撮像ユニット６の正面図、図３（Ｂ）は側面図、図３（Ｃ）は後述する屈曲レンズ部が回動した状態を示す上面図である。図３（Ａ），（Ｂ）に示すように、撮像ユニット６は、屈曲レンズ部５０、撮像レンズ群５２，撮像素子５４から構成される撮像系により、被写体からの光を撮像素子５４へ照射（結像）させるようになっている。撮像素子５４は複眼デジタルカメラ１本体に固定されたハウジング５５内に収納されており、本体に対し固定された状態となっている。また、ハウジング５５には鏡筒５３が固定されている。鏡筒５３の内部には撮像レンズ群５２が設置されている。鏡筒５３には回動駆動部５１が取り付けられている。回動駆動部５１には回動可能に屈曲レンズ部５０が設置されている。このように、撮像ユニット６は、撮像レンズ群５２と撮像素子５４からなる複眼デジタルカメラ１に固定された固定部と、屈曲レンズ部５０からなる自在に回動する回動部とから構成されている。なお、撮像レンズ群５２はズーム機構を含んでいる。また、屈曲レンズ部５０の一例には、プリズムや反射ミラーが挙げられる。
【００４５】
回動駆動部５１は、屈曲レンズ部５０を回動させるためのものである。屈曲レンズ部５０は、撮像素子５４の受光面及び撮像レンズ群５２の光軸ＣＬを中心として撮像レンズ群５２の光軸ＣＬに交差する方向（矢印Ｒ方向）に回動する。これにより屈曲レンズ部５０は、図３（Ｃ）に示すように、被写体からの光を屈曲させて撮像素子５４へと偏向すると共に、回動駆動部５１の回動駆動により被写体に対する向きを変更することが可能な構成になっている。図３（Ｃ）では角度θだけ旋回させた場合を示している。
【００４６】
図４は、複眼デジタルカメラ１の電装部分について概略構成を示すブロック図である。図４に示すように、複眼デジタルカメラ１は、２つの撮影部２１Ａ、２１Ｂ、撮影制御部２２、画像処理部２３、圧縮／伸長処理部２４、フレームメモリ２５、メディア制御部２６、内部メモリ２７、表示制御部２８、及びＣＰＵ３５を備えている。ＣＰＵ３５は、各種操作ボタン８からの入力を受け付けると共に、各種プログラムを実行する。なお、撮影部２１Ａ、２１Ｂは、被写体を見込む輻輳角を持って、予め定められた基線長となるように配置されている。なお、輻輳角及び基線長の情報は内部メモリ２７に記憶されている。
【００４７】
２つの撮影部２１Ａ、２１Ｂは、インタフェース部２０を介して３６に接続される。このインタフェース部２０には、角度センサ３３からの検出信号が入力されるように角度センサ３３が接続されている。角度センサ３３は、撮像ユニット６における屈曲レンズ部５０の回動角度を検出する。また、インタフェース部２０には、回動駆動部５１が接続されている。
【００４８】
なお、本実施形態では、回動駆動部５１により屈曲レンズ部５０を回動させる場合を説明するが、これに限定されるものではない。例えば、回動駆動部５１を回動部として構成し、手動にて屈曲レンズ部５０を回動させるようにしてもよい。この場合、手動にて回動された屈曲レンズ部５０の回動角度を角度センサ３３により検出する。また、エンコーダ付きのモータ等の素子を用いることで、角度センサ３３と回動駆動部５１は駆動と検出を１つの素子で兼用することができる。
【００４９】
撮影制御部２２は、図示しないＡＦ処理部及びＡＥ処理部からなる。ＡＦ処理部はレリーズボタン２の半押し操作（Ｓ１操作）により撮影部２１Ａ、２１Ｂが取得したプレ画像に基づいて、合焦領域を決定すると共に、レンズの焦点位置を決定し、撮影部２１Ａ、２１Ｂに出力する。ＡＥ処理部は、プレ画像に基づいて絞り値とシャッタ速度とを決定し、撮影部２１Ａ、２１Ｂに出力する。
【００５０】
また、撮影制御部２２は、レリーズボタン２の全押し操作（Ｓ２操作）により、撮影部２１Ａに対して左画像、撮影部２１Ｂに対して右画像の本画像を取得させる本撮影の指示を行う。なお、レリーズボタン２が操作される前は、撮影制御部２２は、撮影範囲を確認させるための本画像よりも画素数が少ないスルー画像を、所定時間間隔（例えば１／３０秒間隔）にて順次取得させる指示を撮影部２１Ａ、２１Ｂに対して行う。
【００５１】
画像処理部２３は、撮影部２１Ａ、２１Ｂが取得した左画像及び右画像のデジタルの画像データに対して、ホワイトバランスを調整する処理、階調補正、シャープネス補正、及び色補正等の画像処理を施す。
【００５２】
圧縮／伸長処理部２４は、画像処理部２３によって処理が施された左画像及び右画像を表す画像データに対して、例えば、ＪＰＥＧ等の圧縮形式で圧縮処理を行い、立体視用の画像ファイルを生成する。この立体視用の画像ファイルとしてはマルチピクチャーフォーマット（Multi Picture Format）などが使用でき、左画像及び右画像の画像データに、基線長、輻輳角、及び撮影日時等の付帯情報、並びに視点位置を表す視点情報を関連付け格納される。
【００５３】
フレームメモリ２５は、撮影部２１Ａ、２１Ｂが取得した左画像及び右画像を表す画像データに対して、前述の画像処理部２３が行う処理を含む各種処理を行う際に使用する作業用メモリである。
【００５４】
メディア制御部２６は、記録メディア２９にアクセスして画像ファイル等の書き込み及び読み込みの制御を行う。
【００５５】
内部メモリ２７は、複眼デジタルカメラ１において設定される各種定数、及びＣＰＵ３５が実行するプログラム等を記憶する。
【００５６】
表示制御部２８は、撮影時においてフレームメモリ２５に格納された左画像及び右画像から生成された立体視用画像を液晶モニタ７に表示させたり、記録メディア２９に記録されている左画像及び右画像、または立体視用画像を液晶モニタ７に表示させたりする。
【００５７】
また、複眼デジタルカメラ１は、３次元処理部３０、及び回動制御部３１を備える。
【００５８】
３次元処理部３０は、左画像及び右画像をモニタ７に立体視表示を行うために、左画像及び右画像に３次元処理を行って視差量を考慮して立体視用画像を生成する。視差量は、立体視用画像の立体感を適切なものとするために、左画像及び右画像に基づいて生成されるものである。ここで、視差は、左画像及び右画像の双方に含まれる被写体の左画像と右画像との横方向における画素位置の相違として算出することができる。視差量を適切に生成することにより、立体視用画像に含まれる被写体の立体感を適切なものとすることができる。
【００５９】
回動制御部３１は、撮像ユニット６の屈曲レンズ部５０を回動させたり、屈曲レンズ部５０の回動により回転する画像に見合う領域から画像を読み出したりする回動制御を行うものである。この屈曲レンズ部５０の回動により回転する画像に見合う領域から画像を読み出すことについて説明する。
【００６０】
図５は、複眼デジタルカメラ１により立体視用画像を得るために被写体を撮影するときにおける被写体と複眼デジタルカメラ１の撮像ユニット６に含まれる回動した屈曲レンズ部５０との関係を示したものである。なお、以下の説明では、撮影部２１Ａ，２１Ｂの各々に対応する構成要素に対して、Ａ，Ｂを付与して説明する。図５に示すように、立体視用画像を得るために、撮影部２１Ａ、２１Ｂの画角内に被写体が位置する。撮影部２１Ａの屈曲レンズ部５０Ａによる光軸ＬＡと、撮影部２１Ｂの屈曲レンズ部５０Ｂによる光軸ＬＢとの成す角度が輻輳角Ｇとなる。この輻輳角Ｇは標準的な初期値Ｇ０を予め定めており、初期値Ｇ０による輻輳角Ｇで撮影すると、図６（Ａ）に示すように、被写体像の鉛直方向軸ＪＡ，ＪＢは左右画像共に平行である。このため、撮像素子５４の全ての領域を読み出せば、立体視用画像を得る。
【００６１】
これに対して被写体が複眼デジタルカメラ１側に接近した場合に輻輳角を調整するべく、屈曲レンズ部５０Ａを矢印ＲＡ方向に回動させ、同様に屈曲レンズ部５０Ｂを矢印ＲＢ方向に回動させると、図６（Ｂ）に示すように、被写体像の被写体像の鉛直方向軸ＪＡ，ＪＢは傾く。そこで、屈曲レンズ部５０Ａ，５０Ｂが回動した量に対応する分だけ撮像素子５４から読み出す画像読み出し領域６０を傾ける。これにより、被写体像が回転したことに対応する画像読み出し領域６０となる。このときに、撮像素子５４の初期の読み出し領域内に収まるように画像読み出し領域の大きさを変更することで、撮像素子５４の画像読み出し領域を有効に利用できる。この画像読み出し領域は、本発明の画像領域に対応する。
【００６２】
なお、図５では、撮影部２１Ａ、２１Ｂの両方の屈曲レンズ部５０を回動させた場合を説明したが、図７に示すように、何れか一方のみを回動させる場合であっても同様に、撮像素子５４上で回転された画像に対して処理を施せばよい（詳細は後述）。
【００６３】
また、上記実施形態では、撮影部２１Ａ、２１Ｂの両方の屈曲レンズ部５０を回動させた場合を説明したが、各撮影部２１Ａ、２１Ｂの屈曲レンズ部５０を独立に回動させる場合であっても同様に、撮像素子５４上で回転された画像に対して処理を施せばよい。
【００６４】
なお、回動制御部３１は、ハードウェア装置で構成してもよく、上述のハードウェア資源を用いたプログラム実行によるソフトウェアで構成してもよい。
【００６５】
上述のインタフェース部２０，撮影制御部２２，前述の画像処理部２３，伸長処理部２４，フレームメモリ２５，メディア制御部２６，内部メモリ２７，表示制御部２８，３次元処理部３０，回動制御部３１，ＣＰＵ３５は、データやコマンドを授受可能にバス３６に接続されている。
【００６６】
次に、図８を参照して、第１実施形態の複眼デジタルカメラにおける画像処理ルーチンについて説明する。
【００６７】
撮影者が複眼デジタルカメラ１の電源ボタン３を操作して電源投入することにより、ＣＰＵ３５が処理を開始し、ステップ１００において、複眼デジタルカメラ１の初期設定が行われる。このとき、輻輳角Ｇは、初期値Ｇ０に設定される。次のステップ１０２では、輻輳角Ｇの調整有無の設定がなされる。ステップ１０２の設定は、撮影者が近距離撮影等の指示を複眼デジタルカメラ１に対してなしたことを読み取ることによりなされる。なお、屈曲レンズ部５０を手動回動する場合は、初期値から輻輳角Ｇがずれていることを検知することで輻輳角Ｇの調整有の設定とする。
【００６８】
次のステップ１０４では、Ｓ１操作によって、撮影部２１Ａ，２１Ｂにより撮像素子５４Ａ，５４Ｂに被写体像が照射された左右画像を取得し、スルー画像として出力（表示）する。この場合に液晶モニタ７へ表示するスルー画像は、撮影部２１Ａ、２１Ｂの何れか一方の画像を選択的に表示させてもよく、例えば時分割的に交互に表示させることで両方表示させてもよく、立体表示装置を備える場合は左右画像に基づいて立体表示させてもよい。なお、ステップ１０４では、図示しないＡＦ処理部及びＡＥ処理部により合焦領域が決定されると共に、絞り値とシャッタ速度とが決定される。
【００６９】
次のステップ１０６では、複眼デジタルカメラ１から被写体である被撮影対象までを測距し、次のステップ１０８において、測距した位置（ステップ１０６）で光軸ＬＡと光軸ＬＢが交差するように、屈曲レンズ部５０Ａ，５０Ｂを各々回動させる。これらの処理について合焦領域が決定されるまで実行し、合焦されると（ステップ１１０で肯定）、Ｓ２操作による撮影指示を待つ。
【００７０】
次に、ステップ１１２ではレリーズボタン２の信号を読み取ることでＳ２操作がなされたことを検知し、ステップ１１４へ進み、撮像素子５４Ａ，５４Ｂに被写体像が照射された左右画像である撮影画像の取り込みを開始する。このとき、屈曲レンズ部５０は回動されているため、角度センサ３３からの信号を読み取ることで輻輳角Ｇを検出する（ステップ１１６）。次のステップ１１８では、このステップ１１６で検出した輻輳角Ｇから画像読み出し領域を定める。
【００７１】
具体的には、角度センサ３３で検知した屈曲レンズ部５０の回動角度θを求め、その屈曲レンズ部５０の回動角度θだけ、撮像素子５４の画像読み出し領域６０を回転する（図６（Ｃ）参照）。このとき、画像読み出し領域６０のサイズ（画素数ｋ）を次の数式により定める。
【００７２】
ｋ＝ｃ・（１／ＳＱＲ（ｃｏｓ（Ｘ）＋α・ｓｉｎ（Ｘ）））
Ｘ＝ＡＢＳ（θ）
但し、
ｃは撮像素子５４の全画素数、
αはアスペクト比（横／縦）、
ＳＱＲ（）は２乗関数、
ＡＢＳ（）は絶対値関数、
である。
【００７３】
次のステップ１２０では、上記ステップ１１８で定めた画像読み出し領域６０で撮像素子５４Ａ，５４Ｂの各々から画像を読み出して一時的に保存し、画像合成し（ステップ１２２）、画像表示する（ステップ１２４）。これらの処理は、一時的に保存した左右画像から立体視用画像を生成し、その立体視用画像をモニタ７に表示することである。
【００７４】
次に、ステップ１２６では、各種操作ボタン８の信号を読み取ることで撮影者の指示による視差調整不要か否かを判断し、不要判定の場合にはステップ１２８において画像を保存して本処理ルーチンを終了する。ステップ１２８の画像保存処理は、立体視用画像の画像ファイルを生成し、保存することである。
【００７５】
一方、ステップ１２６で否定された場合は、視差調整が必要であるため、ステップ１３０において、画像読み出し領域６０Ａ，６０Ｂにより撮像素子５４Ａ，５４Ｂの各々から読み出した左右画像について、視差量を算出し、視差調整処理する。この視差調整処理は、各種操作ボタン８による調整量指示または図示しない専用レバーの移動量に応じて視差量を増減し、その結果、立体視用画像の画像位置の位置調整がなされることである。この視差調整処理では視差調整中の画像を逐次表示させる。次のステップ１３２では、各種操作ボタン８の終了信号を読み取ることで、調整が完了したか否かを判断し、肯定されると、完了した視差調整後の画像を保存（ステップ１２８）して本処理ルーチンを終了し、否定されると、ステップ１３０へ戻り、上記処理を繰り返す。
【００７６】
以上説明したように、本実施形態の複眼デジタルカメラによれば、屈曲レンズ部のみを回動可能にすることにより、輻輳角を変更する装置構造を簡略化できる。また、屈曲レンズ部のみが回動可能であるため、駆動負荷を軽減できる。これにより消費電力を抑制でき、他処理への電力供給を増加させることができ、製品性能の向上を図ることができる。
【００７７】
なお、本実施の形態では、Ｓ２操作（ステップ１１２）の後、画像読み出し領域を定める場合を説明したが、Ｓ１操作（ステップ１０４の後に行っても良い。このようにすることで、撮影前に事前に画像読み出し領域を決定することができると共に撮影者に認知させることが可能となる。具体的には、ステップ１１６とステップ１１８の処理をステップ１０８とステップ１１０の間に実施するようにすればよい。
【００７８】
〔第２実施形態〕
次に、第２実施形態について説明する。第２実施形態の撮像装置の構成は、第１実施形態と同一であるため、説明を省略する。
【００７９】
第２実施形態は、第１実施形態の複眼デジタルカメラ１において、輻輳角の調整を高精度に行うためのものである。
【００８０】
図９を参照して、第２実施形態の画像処理ルーチンについて説明する。なお、第１実施形態の画像処理ルーチンと同一の処理については、同一の符号を付して説明を省略し、以下、異なる部分を説明する。また、図９は、図８と相違する追加部分を示した。
【００８１】
ステップ１００〜１０８において、スルー画像を出力（表示）し、複眼デジタルカメラ１から被撮影対象までの測距した位置で輻輳するように、屈曲レンズ部５０Ａ，５０Ｂを各々回動させる。次に、合焦されると（ステップ１１０で肯定）、ステップ２００へ進む。
【００８２】
ステップ２００では、撮像素子５４上の画像のエッジから傾きを検出する。具体的には、図１０（Ａ）及び図１０（Ｂ）に示すように、屈曲レンズ部５０Ａ，５０Ｂの各々を回動させることで、撮像素子５４Ａ，５４Ｂ上の画像が回転する。このとき、被写体からの光の端、つまり開口端（瞳像）は、回転に伴って回転する。これにより、撮像素子５４Ａ，５４Ｂ上には開口端のエッジライン５６Ａ、５６Ｂが形成され、このエッジライン５６Ａ，５６Ｂと撮像素子５４Ａ，５４Ｂ上の端部ラインとの成す角度θａ、θｂから画像の傾きを求めることが可能となる。すなわち、撮像素子から画像を読み出す場合、撮像素子の端部ラインを基準端部（基準エッジ）として予め定めておけば、基準エッジによる基準ライン（端部ライン）と画像端部のエッジラインとのなす角度により、容易に傾きを求めることができる。
【００８３】
次のステップ２０２では、屈曲レンズ部５０Ａ，５０Ｂの各々を微量回動させて、次のステップ２０４で左右バランスが適正か否かを判断する。これは、輻輳角を微調整することに相当する。例えば、角度θａ、θｂの差分値が予め定めた微小角度以内であれば、左右バランスが適正と判断し、ステップ１１２へと移行する。
【００８４】
以下、第１実施形態と同様に処理する。
【００８５】
以上説明したように、第２実施形態の複眼デジタルカメラによれば、輻輳角の状態を常時検出できると共に、調整も可能である。これによって、高精度の角度制御が可能となる。また、撮影部２１Ａ，２１Ｂの各屈曲レンズ部の初期状態の回動角度や回動後の角度にバラツキがあった場合でも、高精度に回動角度を一致させることができる。また、撮影部２１Ａ，２１Ｂの各屈曲レンズ部による回動角度を正確に検出できるので、撮像後に左右画像を合成する際に、画像の合成ズレを抑制することが可能となる。
【００８６】
なお、本実施の形態では、Ｓ２操作の直前（ステップ１１０の後）に、撮像素子５４上の画像のエッジから傾きを検出する場合を説明したが、Ｓ２操作以降（ステップ１１２以降）に行っても良い。具体的には、ステップ１１６とステップ１１８の処理間に実施するようにすればよい。
【００８７】
〔第３実施形態〕
次に、第３実施形態について説明する。第３実施形態の複眼デジタルカメラの構成は、第１実施形態と同一であるため、説明を省略する。
【００８８】
第３実施形態は、第１実施形態の複眼デジタルカメラにおいて、回動により変更される撮影条件を撮影者に報知するものである。
【００８９】
図１１を参照して、第３実施形態の画像処理ルーチンについて説明する。なお、第１実施形態の画像処理ルーチンと同一の処理については、同一の符号を付して説明を省略し、以下、異なる部分を説明する。また、図１１は、図８と相違する追加部分を示した。
【００９０】
ステップ１００〜１０８において、スルー画像を出力（表示）し、複眼デジタルカメラ１から被撮影対象までの測距した位置で輻輳するように、屈曲レンズ部５０Ａ，５０Ｂを各々回動させる。
【００９１】
次に、ステップ３００では、ステップ１１６と同様に角度センサ３３からの信号を読み取ることで輻輳角Ｇを検出し、次のステップ３０２では、ステップ１１８と同様に輻輳角Ｇから画像読み出し領域を定める。この定められた画像読み出し領域は、画像読み出し領域６０のサイズ（画素数ｋ）、そして画像読み出し領域６０のサイズの変更から（例えば画像幅の変動から）画角変更後の画像の焦点距離を求めることができる。なお、画素数の報知に代えて解像度を報知するようにしてもよい。これは画素数の変動が解像度に対応するためである。また、これら画素数、焦点距離を、画像データと関連付けて画像ファイルに記録しても良い。
【００９２】
次のステップ３０４では、上記ステップ３０２で求めた画像読み出し領域６０のサイズの変更による画素数及び例えば画像幅の変動から求まる実仕様上の焦点距離の何れか、また画素数に代えて解像度を、液晶モニタ７に表示させることによって報知する。この報知は、撮影者に好ましく認知させるため、点滅表示が好ましい。
【００９３】
次に、合焦されたか否かを判断し、肯定されるとステップ１１２へ進み、否定されるとステップ１０６へ戻り、上記処理を繰り返し実行する。
【００９４】
以下、第１実施形態と同様に処理する。
【００９５】
以上説明したように、第３実施形態の複眼デジタルカメラによれば、調整した画素数またはこれに対応する解像度または焦点距離を報知することにより、ユーザに対して事前に撮影条件を報知することができる。
【００９６】
なお、本実施の形態では、Ｓ１の操作とＳ２操作の間（ステップ１０８〜１１０の間）に、報知処理する場合を説明したが、Ｓ２操作以降（ステップ１１２以降）に行っても良い。具体的には、ステップ１１８とステップ１２０の処理間に実施するようにすればよい。
【００９７】
また、第３実施形態は、上記第１実施形態〜第２実施形態の何れにも適用可能である。
【００９８】
〔第４実施形態〕
次に、第４実施形態について説明する。第４実施形態の複眼デジタルカメラの構成は、第１実施形態と同一であるため、説明を省略する。
【００９９】
第４実施形態は、第１実施形態の複眼デジタルカメラにおいて、回動により変更される画像読み出し領域に見合う大きさに光学像を調整するものである。
【０１００】
図１２を参照して、第４実施形態の画像処理ルーチンについて説明する。なお、第１実施形態の画像処理ルーチンと同一の処理については、同一の符号を付して説明を省略し、以下、異なる部分を説明する。また、図１２は、図８と相違する追加部分を示した。
【０１０１】
ステップ１００〜１０８において、スルー画像を出力（表示）し、複眼デジタルカメラ１から被撮影対象までの測距した位置で輻輳するように、屈曲レンズ部５０Ａ，５０Ｂを各々回動させる。次に、ステップ３００〜３０２において、輻輳角Ｇを検出して画像読み出し領域を定める。
【０１０２】
次に、ステップ４００では、上記ステップ３０２で求めた画像読み出し領域６０のサイズに見合う大きさに被写体像を拡大または縮小する。例えば、屈曲レンズ部５０Ａ，５０Ｂを各々回動させた場合、画像枠（上記エッジライン５６Ａ，５６Ｂ）は固定のため、被写体像は調整された画像読み出し領域６０に対してはみ出す。これは、屈曲レンズ部の回動に応じて回転と共に大きさが調整された画像読み出し領域６０で読み出す画像の画角が変化するためである。そこで、このステップ４００では、回動前の画角と、回動後の画像読み出し領域６０で読み出した画像の画角が一致するように被写体像を拡大または縮小する。このステップ４００の処理は、撮像レンズ群５２に含まれるズーム機構により実行される。この撮像レンズ群５２に含まれるズーム機構の駆動量は、上記ステップ３０２で画像読み出し領域６０を求めるときに得られる焦点距離ｆを用いることができる。この焦点距離ｆとなるようにズーム機構の焦点距離を合わせればよい。また、ズーム機構の調整により、画像枠が拡大縮小することを利用して、上記求めた画像読み出し領域６０に収まるようにズーム機構の焦点距離を定めても良い。このズーム機構による調整を説明する。
【０１０３】
図１３は、撮影部２１Ａにおけるズーム機構の調整過程を示したイメージ図である。角度センサ３３で検知した屈曲レンズ部５０Ａの回動角度θａを求め、その屈曲レンズ部５０の回動角度θａだけ、撮像素子５４の画像読み出し領域６０Ａを回転する。このとき撮像素子５４の初期の読み出し領域内に収まるように画像読み出し領域６０Ａの大きさを変更する（図１３（Ｂ）参照）。この段階では、画像読み出し領域６０Ａから被写体像がはみ出している。すなわち、屈曲レンズ部５０Ａによる開口端のエッジライン５６Ａはそのまま回転するので、被写体像がはみ出すこととなる。そこで、画像読み出し領域６０Ａに見合う大きさの画像となるように、ズーム機構の駆動値（焦点距離ｆ）を次の数式により定める。求めた焦点距離ｆとなるように、撮像レンズ群５２に含まれるズーム機構を駆動すると、画像読み出し領域６０Ａに被写体の画像が収まる（図１３（Ｃ）参照）。
【０１０４】
ｆ＝ｆｂ・（１／ＲＴ（ｃａ／ｃｂ））
但し、
ｆｂは回動前の焦点距離
ｃａは回動後の撮像素子５４の画素数、
ｃｂは回動前の撮像素子５４の画素数、
ＲＴ（）は平方根関数、
である。
【０１０５】
次に、合焦されたか否かを判断し（ステップ１１０）、肯定されるとステップ１１２へ進み、否定されるとステップ１０６へ戻り、上記処理を繰り返し実行する。
【０１０６】
以下、第１実施形態と同様に処理する。
【０１０７】
以上説明したように、第４実施形態の複眼デジタルカメラによれば、ズーム機構により焦点距離を調整して画角変動を抑制している。このため、撮影者が逐次ズーム機構を操作することなく、簡単に略同一画角の画像を撮影者へ提供できる。
【０１０８】
なお、本実施の形態では、Ｓ１の操作とＳ２操作の間（ステップ１０８〜１１０の間）に、報知処理する場合を説明したが、Ｓ２操作以降（ステップ１１２以降）に行っても良い。具体的には、ステップ１１８とステップ１２０の処理間に実施するようにすればよい。
【０１０９】
また、第４実施形態は、上記第１実施形態〜第３実施形態の何れにも適用可能である。
【０１１０】
〔第５実施形態〕
次に、第５実施形態について説明する。第５実施形態の立体内視鏡装置の構成は、第１実施形態と同一であるため、説明を省略する。
【０１１１】
第５実施形態は、第１実施形態の複眼デジタルカメラにおいて、回動により画像読み出し領域を変更する量が事前に設定した値より大きい場合に警告するものである。
【０１１２】
図１４を参照して、第５実施形態の画像処理ルーチンについて説明する。なお、第１実施形態の画像処理ルーチンと同一の処理については、同一の符号を付して説明を省略し、以下、異なる部分を説明する。また、図１４は、図８と相違する追加部分を示した。
【０１１３】
ステップ１００〜１０８において、スルー画像を出力（表示）し、複眼デジタルカメラ１から被撮影対象までの測距した位置で輻輳するように、屈曲レンズ部５０Ａ，５０Ｂを各々回動させる。次に、ステップ３００〜３０２において、輻輳角Ｇを検出して画像読み出し領域を定める。
【０１１４】
なお、ステップ１００では、予め内部メモリ２７に記憶されている初期値を読み取り、設定されるものとする。この初期値は、回動により画像読み出し領域を変更するときの許容量を定めたものである。具体的には画素数及び焦点距離の少なくとも一方が記憶されている。この初期値は、内部メモリ２７に記憶されることに限定されるものではない。例えば撮影者により設定可能とするようにしてもよい。
【０１１５】
次に、ステップ５００では、ステップ３０２で定めた画像読み出し領域における画素数及び焦点距離の少なくとも一方が、初期値として予め設定した許容範囲内か否かを判別することによって、画素数及び焦点距離が許容範囲内にあるという撮影条件を満足しているか否かを判断する。ステップ５００で肯定されるとステップ１１０へ進み上記と同様に処理し、否定されると、ステップ５０２へ進む。
【０１１６】
ステップ５０２では、液晶モニタ７に撮影条件に合致していないことを示す警告表示をすると共に、撮影を禁止状態に設定する。警告表示には、撮影を禁止状態に設定したことを示す情報を表示することが好ましい。撮影禁止状態からの解除は、電源遮断または画素数及び焦点距離が許容範囲内に撮影条件になったことを判別したときに行われる。
【０１１７】
以下、第１実施形態と同様に処理する。
【０１１８】
以上説明したように、第４実施形態の複眼デジタルカメラによれば、ズーム機構により焦点距離を調整して画角変動を抑制している。このため、撮影者が逐次ズーム機構を操作することなく、簡単に略同一画角の画像を撮影者へ提供できる。
【０１１９】
なお、本実施の形態では、Ｓ１の操作とＳ２操作の間（ステップ１０８〜１１０の間）に、警告処理する場合を説明したが、Ｓ２操作以降（ステップ１１２以降）に行っても良い。この場合、撮影処理を中断するように処理することが好ましい。
【０１２０】
また、第５実施形態は、上記第１実施形態〜第４実施形態の何れにも適用可能である。
【０１２１】
〔第６実施形態〕
次に、第６実施形態について説明する。第６実施形態の複眼デジタルカメラの構成は、第１実施形態と同一であるため、説明を省略する。
【０１２２】
第６実施形態は、第１実施形態の複眼デジタルカメラにおいて、撮影時の構図選定を支援する格子線（グリッド）を撮影者に提示するときに、屈曲レンズ部の回動による画像読み出し領域の回転に応じて、格子線（グリッド）を回転させるものである。
【０１２３】
図１５を参照して、第６実施形態の画像処理ルーチンについて説明する。なお、第１実施形態の画像処理ルーチンと同一の処理については、同一の符号を付して説明を省略し、以下、異なる部分を説明する。また、図１５は、図８と相違する追加部分を示した。
【０１２４】
ステップ１００〜１０８において、スルー画像を出力（表示）し、複眼デジタルカメラ１から被撮影対象までの測距した位置で輻輳するように、屈曲レンズ部５０Ａ，５０Ｂを各々回動させる。次に、ステップ３００〜３０２において、輻輳角Ｇを検出して画像読み出し領域を定める。
【０１２５】
次に、ステップ６００では、上記ステップ３０２で求めた画像読み出し領域６０の傾きに応じて格子線（グリッド）６２を回転して液晶モニタ７に表示させる。
【０１２６】
図１６は、複眼デジタルカメラ１の液晶モニタ７におけるスルー画像の表示を示したイメージ図である。屈曲レンズ部５０の回動位置が初期状態では、液晶モニタ７に表示される格子線（グリッド）６２は、液晶モニタ７の縦横方向に平行である（図１６（Ａ）参照）。この場合、屈曲レンズ部５０は初期状態であるため、画像読み出し領域６０に対応する液晶モニタ７上の画像表示枠６１は、液晶モニタ７の外枠と一致する。一方、屈曲レンズ部５０が回動されると、角度センサ３３で検知した屈曲レンズ部５０Ａの回動角度θだけ、撮像素子５４の画像読み出し領域６０を回転させる（図１６（Ｂ）参照）。この場合には、液晶モニタ７上の画像表示枠６１は、画像読み出し領域６０の回転に応じた角度で回転している。そこで、画像読み出し領域６０の回転角度に相当する角度で、格子線（グリッド）６２を回転させて液晶モニタ７に表示させる（図１６（Ｂ）参照）。
【０１２７】
次に、合焦されたか否かを判断し（ステップ１１０）、肯定されるとステップ１１２へ進み、否定されるとステップ１０６へ戻り、上記処理を繰り返し実行する。
【０１２８】
以下、第１実施形態と同様に処理する。
【０１２９】
以上説明したように、第６実施形態の複眼デジタルカメラによれば、屈曲レンズ部の回動による画像読み出し領域の回転に応じて、格子線（グリッド）を回転させて表示するので、格子線（グリッド）を撮影者が指標として撮影時の構図選定をすることができ、撮影支援をすることができる。
【０１３０】
本実施形態は、屈曲レンズ部を経由して撮像素子へ至るまでの被写体からの光束の一部を採光する光学ファインダを具備したカメラに好適である。すなわち、光学ファインダは本体に固定されて、撮影するときの画角に応じた範囲を視認可能に提供されるものがある。このため、屈曲レンズ部の回動に応じて視認可能に提供される画像は回転することになる。この画像に回転により、撮影時の構図選定が難しくなる。そこで、この光学ファインダ内に、回転可能な格子線（グリッド）を設け、屈曲レンズ部の回動に応じて格子線（グリッド）を回転させることにより、撮影者が指標として撮影時の構図を容易に選定することができ、好適な撮影支援となる。回転可能な格子線（グリッド）の例としては、透明ガラス上に格子線（グリッド）を設けた回転子を光学ファインダ内に設けて、この回転子を回転させたり、格子線（グリッド）を表示可能な液晶素子を光学ファインダ内に設けて、その格子線（グリッド）を回転させ表示させたりするものがある。
【０１３１】
この場合、光学ファインダを具備したカメラに、液晶モニタを備えることは、本発明をさらに好適なものとすることができる。すなわち、実際の傾き画像を光学ファインダで確認でき、液晶モニタでは、傾いた画像から読み出された画像を確認できる。従って、実際の画像を見つつ、撮影後の画像を確認することが可能となる。また、液晶モニタに光学ファインダによる画像と、傾いた画像から読み出された画像とを切り替えて表示するようにしてもよい。
【０１３２】
なお、第６実施形態は、上記各実施形態の何れにも適用可能である。
【０１３３】
〔第７実施形態〕
次に、第７実施形態について説明する。第７実施形態の複眼デジタルカメラ１の構成は、第１実施形態と同一であるため、説明を省略する。
【０１３４】
第１実施形態は、複眼デジタルカメラにおいて、例えば幅広の広角画像を得ることを可能とするものである。
【０１３５】
本実施形態では、回動制御部３１は、撮像ユニット６の屈曲レンズ部５０を回動させたり、屈曲レンズ部５０の回動により回転する画像に見合う領域から画像を読み出したりする回動制御を行う点では、上記実施形態と同様である。本実施形態と上記実施形態との相違は、屈曲レンズ部５０の回動方向が図５に示した矢印ＲＡ，矢印ＲＢと逆方向に旋回する点である。
【０１３６】
図１７は、本実施形態に係る複眼デジタルカメラ１により幅広の広角画像を得るために被写体を撮影するときにおける被写体と複眼デジタルカメラ１の撮像ユニット６に含まれる回動した屈曲レンズ部５０との関係を示したものである。図１７に示すように、幅広の広角画像を得るために、被写体に対して、撮影部２１Ａ、２１Ｂの画角の端部付近に被写体が位置するように屈曲レンズ部５０Ａ，５０Ｂを旋回させる。撮影部２１Ａの屈曲レンズ部５０Ａによる光軸ＬＡと、撮影部２１Ｂの屈曲レンズ部５０Ｂによる光軸ＬＢとの成す角度は発散方向に広がることになる。
【０１３７】
ところで、複眼デジタルカメラ１は標準的に初期設定された状態では、図１８（Ａ）に示すように、被写体像の鉛直方向軸ＪＡ，ＪＢは左右画像共に平行である。このため、左右画像内の共通部分である被写体を重複させて画像合成すれば、幅広画像を得ることができる。
【０１３８】
これに対して、さらに幅広の広角画像を望むときに、屈曲レンズ部５０Ａを矢印ＲＢ方向に回動させ、同様に屈曲レンズ部５０Ｂを矢印ＲＡ方向に回動させると、図１８（Ｂ）に示すように、被写体像の被写体像の鉛直方向軸ＪＡ，ＪＢは傾く。そこで、屈曲レンズ部５０Ａ，５０Ｂが回動した量に対応する分だけ撮像素子５４から読み出す画像読み出し領域６０を傾ける。これにより、被写体像が回転したことに対応する画像読み出し領域６０となる。この撮影時、最大限度の幅広の広角画像を得るためには、被写体の重複部分を少なくすることが好ましい。このためには、被写体に対して、撮影部２１Ａ、２１Ｂの画角の端部付近に被写体が位置するように屈曲レンズ部５０Ａ，５０Ｂを旋回させる（図１７参照）。この場合に、画像読み出し領域６０Ａ，６０Ｂで画像読み出しをして（図１８（Ｃ）参照）、得られる画像を合成すれば、最大限度の幅広の広角画像を得ることができる（図１８（Ｄ）参照）。
【０１３９】
なお、図１８では、撮影部２１Ａ、２１Ｂの両方の屈曲レンズ部５０を回動させた場合を説明したが、何れか一方のみを回動させてもよい。
【０１４０】
図１９を参照して、第７実施形態の電装装置おける画像処理ルーチンについて説明する。なお、上記実施形態の画像処理ルーチンと同一の処理については、同一の符号を付して説明を省略する。
【０１４１】
撮影者が複眼デジタルカメラ１の電源ボタン３を操作して電源投入することにより、ＣＰＵ３５が処理を開始し、ステップ７００において、複眼デジタルカメラ１の初期設定が行われる。このとき、旋回角Ｈ（矢印ＲＡ方向の回動初期値）は、予め設定される。次のステップ７０２では、幅広の広角画像取得の指示を撮影者が各種操作ボタン８の操作で行ったことを読み取って、旋回角Ｈの調整有無の設定がなされる。
【０１４２】
次のステップ７０４では、Ｓ１操作によるスルー画像の出力（表示）及び合焦処理される。次のステップ７０６では、複眼デジタルカメラ１から被写体である被撮影対象までを測距し、次のステップ７０８において、測距した位置で画角の端部に被写体が位置するための旋回角を求め、ステップ７１０にて屈曲レンズ部５０Ａ，５０Ｂを各々回動させることで旋回させる。これらの処理について合焦領域が決定されるまで実行し、合焦されると（ステップ７１２で肯定）、Ｓ２操作による撮影指示を待つ。
【０１４３】
次に、ステップ７１４ではレリーズボタン２の信号を読み取ることでＳ２操作がなされたことを検知し、撮像素子５４Ａ，５４Ｂに被写体像が照射された左右画像である撮影画像を取り込む（ステップ７１６）。このとき、屈曲レンズ部５０は各々回動されているため、角度センサ３３からの信号を読み取ることで旋回角Ｈを検出する（ステップ７１８）。次のステップ７２０では、検出した旋回角Ｈから画像読み出し領域を定める。
【０１４４】
具体的には、第１実施形態と同様に、屈曲レンズ部５０の回動角度θを求め、その屈曲レンズ部５０の回動角度θだけ、撮像素子５４の画像読み出し領域６０を回転する（図１８（Ｃ）参照）。
【０１４５】
次のステップ７２２では、画像読み出し領域６０で撮像素子５４Ａ，５４Ｂの各々から画像を読み出して一時的に保存し、画像合成し（ステップ７２４）、画像表示する（ステップ７２６）。これらの処理は、一時的に保存した左右画像から幅広の広角画像を生成し、その画像をモニタ７に表示することである。
【０１４６】
次に、ステップ７２８では、各種操作ボタン８の信号を読み取ることで撮影者の指示による調整不要か否かを判断し、不要判定の場合にはステップ１２８において画像を保存して本処理ルーチンを終了する。ステップ７３０の画像保存処理は、幅広の広角画像として合成された画像を保存してもよく、各々の画像を関連づけた画像ファイルを生成し、保存してもよい。
【０１４７】
一方、ステップ７２８で否定された場合は、画像合成に調整が必要であるため、ステップ７３２において、画像読み出し領域６０Ａ，６０Ｂにより撮像素子５４Ａ，５４Ｂの各々から読み出した左右画像について、合成調整処理する。この合成調整処理は、各種操作ボタン８による調整量指示または図示しない専用レバーの移動量に応じて左右画像を合成するのりしろまたは連結する位置を決定させることである。この合成調整処理では合成調整中の画像を逐次表示させる。次のステップ７３４では、各種操作ボタン８の終了信号を読み取ることで、調整が完了したか否かを判断し、肯定されると、完了した合成調整後の画像を保存（ステップ７３０））して本処理ルーチンを終了し、否定されると、ステップ７３２へ戻り、上記処理を繰り返す。
【０１４８】
以上説明したように、本実施形態の複眼デジタルカメラによれば、屈曲レンズ部のみを回動可能にすることにより、旋回角を変更する装置構造を簡略化できる。また、屈曲レンズ部のみが回動可能であるため、駆動負荷を軽減できる。これにより消費電力を抑制でき、他処理への電力供給を増加させることができ、製品性能の向上を図ることができる。さらに、より幅広の広角画像、例えばパノラマ画像を得ることができる。
【０１４９】
なお、本実施の形態では、Ｓ２操作（ステップ７１４）の後、画像読み出し領域を定める場合を説明したが、Ｓ１操作（ステップ７０４の後に行っても良い。このようにすることで、撮影前に事前に画像読み出し領域を決定することができると共に撮影者に認知させることが可能となる。
【０１５０】
〔第８実施形態〕
次に、第８実施形態について説明する。第８実施形態の複眼デジタルカメラの構成は、第１実施形態と略同一であるため、同一部分には同一符号を付して詳細な説明を省略し、以下相違する部分について説明する。
【０１５１】
第８実施形態は、多数の画像を合成して、より幅広の広角画像を得るためのものである。
【０１５２】
図２０は、第８実施形態の複眼デジタルカメラ１の正面側斜視図、図２１は背面側斜視図である。図２０に示すように、第８実施形態に係る複眼デジタルカメラ１は、撮影部２１Ａを担当する１８０度を開放した窓８０Ａと、撮影部２１Ｂを担当する１８０度を開放した窓８０Ｂとが配設されている。これにより、撮影部２１Ａ，撮影部２１Ｂの各々に含まれる撮像ユニット６は、１８０度の回動（旋回）が可能になる。従って、本実施形態の複眼デジタルカメラ１は、３６０度の全方位についての撮影が可能となる。
【０１５３】
なお、本実施形態では、撮像ユニット６を２つの撮影部２１Ａ、２１Ｂの各々が含む構成について説明するが、何れか一方のみに具備するようにしてもよい。
【０１５４】
図２２は、本実施形態に係る複眼デジタルカメラ１により全方位の広角画像を得るために被写体を撮影するときにおける被写体と複眼デジタルカメラ１の撮像ユニット６に含まれる回動した屈曲レンズ部５０との関係を示したものである。図２２に示すように、幅広の広角画像を得るために、被写体に対して、撮影部２１Ａ、２１Ｂの画角の端部付近に被写体（撮影基準対象）が位置するように屈曲レンズ部５０Ａ，５０Ｂを旋回させる。
【０１５５】
上述のように、屈曲レンズ部５０Ａ，５０Ｂを旋回させ、幅広の広角画像を望むときに、屈曲レンズ部５０Ａを矢印ＲＢ方向に回動させ、同様に屈曲レンズ部５０Ｂを矢印ＲＡ方向に回動させると、被写体像の被写体像の鉛直方向軸ＪＡ，ＪＢは傾くので（図１８（Ｂ）参照）、屈曲レンズ部５０Ａ，５０Ｂが回動した量に対応する分だけ撮像素子５４から読み出す画像読み出し領域６０を傾ける。これを基準として、旋回方向に順に繰り返して処理する。
【０１５６】
具体的には、図２２に示すように、屈曲レンズ部５０Ａ，５０Ｂを旋回させ、撮影基準対象の被写体について、第７実施形態と同様の処理を行う。このときに、被写体までの距離が計算できるので、画角も求めることができる。従って、３６０度の連結画像を得るための回数を求めることができる。図２２の例では、６回（屈曲レンズ部５０単位では３回）の回動で連結画像を得ることができる。この場合、屈曲レンズ部５０Ａでは画像Ｐａ１，Ｐａ２，Ｐａ３の順に撮像され、屈曲レンズ部５０Ｂでは画像Ｐｂ１，Ｐｂ２，Ｐｂ３の順に撮像される。これを連結すると３６０度の連結画像が得られる（図２３参照）。
【０１５７】
図２４を参照して、第８実施形態の画像処理ルーチンについて説明する。なお、第７実施形態の画像処理ルーチンと同一の処理については、同一の符号を付して説明を省略し、以下、異なる部分を説明する。
【０１５８】
ステップ７００〜７０４において、スルー画像を出力（表示）し、次のステップ８００では、被撮影基準対象となる被写体について測距する。次のステップ８０２では、ステップ８００の測離結果から、測距した位置（距離）で画角の端部に被写体が位置するための基準となる旋回角を求め、また３６０度の連結画像を得るための繰り返し回数（旋回回数）を求める。次に、ステップ７１０にて屈曲レンズ部５０Ａ，５０Ｂを各々基準の旋回角だけ回動させる。このステップ７１０の処理は確認用のため、確認が不要の場合は、省略が可能である。
【０１５９】
次に、撮影指示（Ｓ２操作）で、左右画像である撮影画像を取り込んで、基準となる旋回角だけ回動させ、その基準旋回角から画像読み出し領域を定めて画像読み出し領域６０で撮像素子５４Ａ，５４Ｂの各々から画像を読み出して一時的に保存することを、３６０度の連結画像を得るまで繰り返し実行する（ステップ７１６〜７２２）。
【０１６０】
全ての旋回が完了すると（ステップ８０４で肯定）、一時的に保存した複数画像を合成し、表示し、保存する（ステップ７２４〜７３０）。なお、図１９の合成調整処理（ステップ７２８，７３２，７３４）については省略したが、実行するようにしても良い。
【０１６１】
以上説明したように、本実施形態の複眼デジタルカメラによれば、屈曲レンズ部のみを複数回だけ回動することにより、画像が分断されることなく、全方位の画像を得ることができる。これにより複雑且つ大規模な装置較正とすることなく、より幅広の広角画像、例えばパノラマ画像を得ることができる。
【０１６２】
〔第９実施形態〕
次に、第９実施形態について説明する。第９実施形態の複眼デジタルカメラの構成は、第４実施形態と略同一であるため、同一部分には同一符号を付して詳細な説明を省略し、以下相違する部分について説明する。
【０１６３】
第９実施形態は、Ｎ個（Ｎは２以上の自然数）の撮像光学系について２以上の撮像光学系間で回動角度が相違するものである。すなわち、Ｎ個（Ｎは２以上の自然数）の撮像光学系のうちｍ個（ｍはＮ以下で１以上の自然数）の撮像光学系について屈曲レンズ部を同一または相違する回動角度で回動させるのものである。ここでは、説明を簡単にするため、第１実施形態の複眼デジタルカメラの構成に適用する場合を説明する（Ｎ＝２，ｍ＝１またはｍ＝２）。
【０１６４】
図２５は、複眼デジタルカメラ１の撮影部２１Ａ，２１Ｂの各撮像ユニット６で相違した回動角度（θａ＜＞θｂ）で屈曲レンズ部５０Ａ，５０Ｂを回動した状態を示したものである（Ｎ＝２，ｍ＝２）。図２６は、複眼デジタルカメラ１において、撮影部２１Ｂの撮像ユニット６は固定であり、撮影部２１Ａの撮像ユニット６の屈曲レンズ部５０Ａを回動させることで、相違した回動角度となる状態を示したものである（Ｎ＝２，ｍ＝１）。
【０１６５】
図２５及び図２６に示すように、撮影部２１Ａの屈曲レンズ部５０Ａまたは、撮影部２１Ａの屈曲レンズ部５０Ａと撮影部２１Ｂの屈曲レンズ部５０Ｂを回動すると、上述したように、撮像素子５４上の被写体の光学像は回転する。この回転に伴って、画像読み出し領域６０を傾け、撮像素子５４の初期の読み出し領域内に収まるように画像読み出し領域の大きさを変更することで、撮像素子５４の画像読み出し領域を有効に利用する。ところが、相違した回動角度となる場合、読み出し領域の傾きが異なり読み出し領域６０Ａの大きさも異なるため、撮影部２１Ａ，２１Ｂによる画角の大きさが相違することになる。そこで、撮影部２１Ａ，２１Ｂによる画角の大きさを一致させるために、本実施形態では、撮影部２１Ａ，２１Ｂの少なくとも一方の撮影部の画角の大きさを調整する。
【０１６６】
まず、Ｎ＝２，ｍ＝１の場合、つまり図２６に示すように、撮影部２１Ｂの屈曲レンズ部５０Ｂは固定であり、撮影部２１Ａの撮像ユニット６における屈曲レンズ部５０Ａが回動可能に構成された場合について説明する。
【０１６７】
図２７を参照して、第９実施形態の画像処理ルーチンについて説明する。なお、上記実施形態の画像処理ルーチンと同一の処理については、同一の符号を付して詳細な説明を省略する。
【０１６８】
電源投入することにより、ＣＰＵ３５が処理を開始し、ステップ１０１において、複眼デジタルカメラ１の初期設定を含む各種設定が行われる。このステップ１０１の処理は、ステップ１００と１０２と同様の処理である。なお、上述の輻輳角Ｇは、初期値Ｇ０に設定され、近距離撮影等の指示を読み取る事等により輻輳角調整有無の設定がなされる。
【０１６９】
次のステップ１０４では、Ｓ１操作によって、撮影部２１Ａ，２１Ｂにより撮像素子５４Ａ，５４Ｂに被写体像が照射された左右画像を取得し、スルー画像として出力（表示）する。スルー画像は、撮影部２１Ａ、２１Ｂの何れか一方の画像を選択的に液晶モニタ７へ表示させてもよく、例えば時分割的に交互に表示させることで両方表示させてもよい。次に、複眼デジタルカメラ１から被写体である被撮影対象までを測距する（ステップ１０６）。
【０１７０】
次に、ステップ９００において、測距した位置（ステップ１０６）で光軸ＬＡと光軸ＬＢが交差するように、屈曲レンズ部５０Ａのみを回動させ、次のステップ９０２で回動角度θａを検出する。この回動角度の検出は、上記輻輳角検出に対応する。次のステップ９０４では、検出した回動角度θａ（ステップ９０２）から上記ステップ１１８と同様に画像読み出し領域を定める。すなわち、屈曲レンズ部を回動すると、上述したように、撮像素子５４の被写体像は回転する。このため、検知した屈曲レンズ部５０Ａの回動角度θａだけ、撮像素子５４の画像読み出し領域６０Ａを回転する（図２８（Ｂ）〜（Ｄ）参照）。
【０１７１】
ここで、屈曲レンズ部５０Ａのみを回動させて画像読み出し領域６０Ａのみを回転させているため、左右画像の画角に相違は生じる。そこで、同一画角による左右画像を得るためには画角調整が必要である。この画角調整には、ズーム機構による光学的な調整手法と、画像読み出し領域の設定変更による電気的な調整手法がある。本実施形態では、予めカメラ側で実施する手法が定められているものとする。
【０１７２】
まず、ステップ９０６では、設定を読み取ることにより、ズーム機構による光学的な調整を実施するか否かを判断し、固定されるとステップ９０８へ進み、否定されるとステップ９１４へ進む。ステップ９０８では、光学的な調整対象となるズーム機構が、屈曲レンズ部の固定側（非回動側）か否かを判断する。
【０１７３】
ステップ９０８で肯定されると、ステップ９１２において、固定側（非回動側）の撮像レンズ群５２Ｂに含まれるズーム機構を調整する。この調整は、回動側の画像読み出し領域６０Ａのサイズ（ステップ９０４）に見合う大きさに被写体像を拡大または縮小するものである。例えば、屈曲レンズ部５０Ａを回動させた場合、画像読み出し領域６０Ａは、画像枠（エッジライン５６Ａ）内に調整される（図２８（Ｂ）参照）。これは、屈曲レンズ部の回動に応じて画像読み出し領域６０Ａは小さくなり、仮想的に画像の画角がテレ側に変化するためである。そこで、ステップ９１２では、回動されたことにより変化した画角となるように、固定側（非回動側）の撮像レンズ群５２Ｂに含まれるズーム機構を調整する。このズーム機構の駆動量は、画像読み出し領域６０Ａを求めるときに得られる焦点距離を用いることができる。このようにすることで、画角が一致することになる。
【０１７４】
図２８（Ｂ）は、撮影部２１Ｂにおけるズーム機構の調整過程を示したイメージ図である。検知した屈曲レンズ部５０Ａの回動角度θａを求めて、その屈曲レンズ部５０Ａの回動角度θａだけ、撮像素子５４の画像読み出し領域６０Ａを回転する。この回転により、画像読み出し領域６０Ａは、撮像素子５４Ａからはみ出すことになる（回転直後の画像読み出し領域を６０Ａａと表記した。）。そこで、撮像素子５４Ａ上に画像読み出し領域６０Ａが収まるように、画像読み出し領域６０Ａを拡大縮小する。この段階で、撮像素子５４Ａ上の画像読み出し領域６０Ａによる左画像と、撮像素子５４Ｂ上の画像読み出し領域６０Ｂによる右画像とは、画角が相違する。これを一致させるために、固定側（非回動側）の撮像レンズ群５２Ｂに含まれるズーム機構を、回動されたことにより変化した画角となるように、調整する。つまり、画像読み出し領域６０Ｂに一致した画像枠５６Ｂ（ズーム機構調整前の画像枠を５６Ｂａと表記した。）から拡大された画像枠となるよう、画角をテレ側に調整する。
【０１７５】
一方、ステップ９０８で否定されると、ステップ９１０において、回動側の撮像レンズ群５２Ａに含まれるズーム機構を調整する。この調整は、回動した屈曲レンズ部５０Ａの撮像レンズ群５２Ａに含まれるズーム機構の調整により、被写体像を拡大または縮小するものである。つまり、回動前の画角と、回動後の画像読み出し領域６０Ａで読み出した画像の画角が一致するように被写体像を拡大または縮小する（図２８では縮小）。このようにすることで、画角が一致することになる。
【０１７６】
図２８（Ｃ）は、撮影部２１Ａにおけるズーム機構の調整過程を示したイメージ図である。検知した屈曲レンズ部５０Ａの回動角度θａを求めて、その屈曲レンズ部５０Ａの回動角度θａだけ、撮像素子５４の画像読み出し領域６０Ａを回転する。この回転によりはみ出す画像読み出し領域６０Ａが、撮像素子５４Ａ上に収まるように、画像読み出し領域６０Ａを拡大縮小するすると共に、画像読み出し領域６０Ａに見合う大きさの画像となるように、ズーム機構を調整する。つまり、画像読み出し領域６０Ａに一致した画像枠５６Ａ（ズーム機構調整後の画像枠を５６Ａｂと表記した。）から拡大された画像枠となるよう、画角をワイド側に調整する。
【０１７７】
次に、光学的な調整ではなく、電気的な調整をする場合（または調整不要の場合）は、ステップ９０６で否定され、ステップ９１４において設定を読み取ることにより、電気的調整を実施するか否かを判断し、固定されるとステップ９１６へ進み、否定されるとそのまま調整を実施することなくステップ１１０へ進む。
【０１７８】
ステップ９１４で肯定されると、ステップ９１６において、固定側（非回動側）の画像読み出し領域６０Ｂのサイズを調整する。この調整は、回動側の画像読み出し領域６０Ａのサイズ（ステップ９０４）に見合う大きさに固定側（非回動側）の画像読み出し領域６０Ｂのサイズを調整するものである。すなわち、屈曲レンズ部５０Ａの回動により画像読み出し領域６０Ａは小さくなるので、この画像読み出し領域６０Ａと一致するように画像読み出し領域６０Ｂを調整する。このようにすることで、画角が一致することになる。
【０１７９】
図２８（Ｄ）は、撮影部２１Ｂにおける画像読み出し領域６０の調整過程を示したイメージ図である。検知した屈曲レンズ部５０Ａの回動角度θａだけ画像読み出し領域６０Ａが回転されて画像読み出し領域６０Ａが小さくなる。そこで、調整された画像読み出し領域６０Ａと画像読み出し領域６０Ｂとを一致させる（調整直前の画像読み出し領域を６０Ｂａと表記した。）。この画像読み出し領域６０Ｂの調整は、電気的ズーム機構に相当する。つまり、画像読み出し領域６０Ｂを拡大縮小することで、仮想的に画角を調整することに対応することになる。図２８（Ｄ）の例では、画角をテレ側に調整することに対応する。
【０１８０】
以上の処理について合焦領域が決定されるまで実行し、合焦されるとステップ１１０で肯定され、Ｓ２操作による撮影指示を待つ。次に、ステップ１１２でレリーズボタン２の信号を読み取ることでＳ２操作がなされたことを検知し、ステップ１１３で撮影処理が実行される。このステップ１１３の処理は、ステップ１１４〜１２０と同様の処理であり、撮像素子５４Ａ，５４Ｂによる左右画像を取り込み、回動角（輻輳角）に応じて画像読み出し領域を定め、その画像読み出し領域で撮像素子５４Ａ，５４Ｂの各々から画像を読み出して一時的に保存し、画像合成し（ステップ１２２）、画像表示する（ステップ１２４）。これらの処理は、一時的に保存した左右画像から立体視用画像を生成し、その立体視用画像をモニタ７に表示することである。
【０１８１】
次に、Ｎ＝２，ｍ＝２の場合、つまり図２５に示すように、屈曲レンズ部５０Ａ、５０Ｂが回動可能に構成され、回動角度が相違する場合について説明する。回動角度が相違して屈曲レンズ部５０Ａ、５０Ｂが回動した場合は、左右画像で相対的に画像読み出し領域の傾きが相違すると共にサイズが相違することになるので、何れか一方を基準として、上記と同様に処理すればよい。また、左右画像で包含される基準画角を予め定めておき、この基準画角に一致するように調整してもよい。
【０１８２】
次に、Ｎ個（Ｎは２以上の自然数）の撮像光学系のうちｍ個（ｍはＮ以下で１以上の自然数）の撮像光学系について屈曲レンズ部を同一または相違する回動角度で回動させる場合について説明する。この場合は、Ｎ個の撮像光学系の中から１組を指定し、上述の複眼デジタルカメラで説明した１組の屈曲レンズ部を単位として調整を実施し、これをＮ個まで繰り返すことにより、画角を一致させることができる。
【０１８３】
以上説明したように、本実施形態の複眼デジタルカメラによれば、屈曲レンズ部の回動角度に相違があっても、画角を一致させた画像を得ることができる。これにより複雑且つ大規模な装置較正とすることなく、同一の見えの複数画像を得ることができる。
【０１８４】
なお、本実施形態では、例えば複眼デジタルカメラの両眼を回動可能に設けた場合を説明したが、本発明はこれに限定されない。屈曲レンズ部の少なくとも１つを回動可能に設け、その他を固定設置するようにしてもよい。また、回動可能な屈曲レンズ部を複数設けて任意の屈曲レンズを固定設置の屈曲レンズと同様に扱うことが可能なことは勿論であり、回動可能な屈曲レンズ部と、回動不可能な屈曲レンズ部とを組み合わせて用いるようにしてもよい。
【０１８５】
〔第１０実施形態〕
次に、第１０実施形態について説明する。第１０実施形態の構成は、上記実施形態と略同一であるため、同一部分には同一符号を付して詳細な説明を省略する。
【０１８６】
上記実施形態では、撮像素子から読み出す画像読み出し領域を設定し、屈曲レンズ部が回動した量に対応する分だけ画像読み出し領域を傾ける（回転させる）場合について説明した。本実施形態は、撮像素子から読み出す画像読み出し領域を設定して読み出すのに代えて、撮像素子の有効画素領域の全ての画素を読み出し、その読み出した全画素からなる画像について、画像切り出し領域を設定し、読み出した全画素からなる画像から画像切り出し領域を切り出して画像を得るものである。
【０１８７】
図２９は、撮影部２１Ａにおける撮像素子から全画素を読み出してなる画像から切り出して画像を形成する過程の説明図である。図２９の右列部は、撮像素子５４Ａの背面から見たイメージ図であり、左列部は、撮像素子５４Ａにより形成される画像を示すイメージ図である。
【０１８８】
回動角度が初期値の撮影では、図２９（Ａ）に示すように、被写体像の鉛直方向軸ＪＡは画像の上下方向に平行である。従って、屈曲レンズ部５０Ａを経由して撮像素子５４Ａへ至り光束の画像枠５６Ａと撮像素子５４Ａから読み出した左画像５８Ａとの向きが一致する。図２９（Ｂ）に示すように、屈曲レンズ部５０Ａを回動させると、撮像素子５４Ａに対して画像枠５６Ａが回転する。本実施形態では、撮像素子５４Ａから全ての画素を読み出し、その読み出した全画素からなる左画像５８Ａを得る。左画像５８Ａはは回転している（被写体像の鉛直方向軸ＪＡが傾く）。そして、被写体像が回転した左画像５８Ａの回転を調整するために、図２９（Ｃ）に示すように、左画像５８Ａ上に、上述の画像読み出し領域６０Ａに対応する画像切り出し領域６３Ａを設定する。この設定した画像切り出し領域について左画像５８Ａから画像を切り出し、図２９（Ｄ）に示すように、最終的な左画像５９Ａを得る。なお、撮像画像から上記設定した画像切り出し領域で画像を切り出す処理は適宜行われ、撮像手段から出力された画素ごとの画像信号に対し行ってもよく、または上記画像信号をＡ／Ｄ変換した後の画像信号に対して行ってもよく、前述の圧縮／伸長処理部２４による圧縮処理前に行われるのが好ましい。
【０１８９】
このように、画像切り出し領域６３Ａを設定し、全画素からなる画像５８Ａから上記設定した画像切り出し領域で画像を切り出し、回動により回転された画像を調整した画像を得る。これらの処理は、上記実施形態の撮像素子に画像読み出し領域を設定し、屈曲レンズ部の回動に応じて画像読み出し領域を回転させて、読み出し、画像を得る処理に置き換えが可能である。
【０１９０】
以上説明したように、本実施形態によれば、撮像素子から全ての画素を読み出して全画素からなる画像から画像切り出し領域で画像を切り出して回転調整された画像を得るので、撮像素子に対する煩雑な制御を簡略化することができ、撮像素子への負荷も軽減できる。また、画像の切り出しは、画像処理により容易に実施できるので、従来の装置構成を大幅に変更することなく、簡単な構成で実現することができる。
【０１９１】
なお、本実施形態では、撮像素子の有効画素領域の全ての画素を読み出し、その読み出した全画素からなる画像について、画像切り出し領域を設定し、読み出した全画素からなる画像から画像切り出し領域を切り出して画像を得る。このため、上記第２実施形態のように、撮像素子から画像を読み出す場合とは、基準エッジの適用が異なる。すなわち、撮像素子５４上の画像のエッジから傾きを検出するのに代えて、撮像素子の有効画素領域の全画素を読み出した画像で傾きを検出する。つまり、撮像素子から読み出した全画素からなる画像に画像切り出し領域を設定して、その画像切り出し領域を切り出して画像を得る場合、取得した撮像画像の枠などを基準端部（基準エッジ）として予め定めておく。このようにすることで、基準エッジによる基準ラインと、被写体の光学像の照射光領域のエッジラインとのなす角度により、容易に傾きを求めることができる。
【０１９２】
〔第１１実施形態〕
次に、第１１実施形態について説明する。第１１実施形態の構成は、上記実施形態と略同一であるため、同一部分には同一符号を付して詳細な説明を省略する。
【０１９３】
上記実施形態では、撮像ユニット毎に撮像素子を備えた場合を説明したが、本発明はこれに限定されるものではない。本実施形態では、単一の撮像素子で、複数の撮像光学系を具備する場合を説明する。
【０１９４】
図３０は、本実施形態の複眼デジタルカメラにおける撮像ユニット６周辺の構成を示す概略図である。図３０（Ａ）は撮像ユニットの上面図、図３０（Ｂ）は背面図、図３０（Ｃ）は後述する画像分割の変形例を示す概念図である。
【０１９５】
図３０（Ａ），（Ｂ）に示すように、左用及び右用の各撮像ユニット６と単一の撮像素子５４との間には、合波部７０が設けられている。合波部７０は領域分離手法によるものであり、反射ミラー７２，７４，及びプリズム７６から構成されている。この合波部７０は、屈曲レンズ部５０Ａからの光束を反射ミラー７２及びプリズム７６の順に反射させて、撮像素子５４の屈曲レンズ部５０Ａ側（左側）へ案内する。同様に、合波部７０は、屈曲レンズ部５０Ｂからの光束を反射ミラー７４及びプリズム７６の順に反射させて、撮像素子５４の屈曲レンズ部５０Ｂ側（右側）へ案内する。これにより、撮影部２１Ａ、２１Ｂの各々に備えた各撮像ユニット６を伝播された光束は、単一の撮像素子５４の右側と左側に分離されて収束される。
【０１９６】
単一の撮像素子５４には、左画像と右画像とを形成するための光束が投影される。従って、撮像素子５４の左側部分を左画像とし、撮像素子５４の右側部分を右画像とすることで、左画像と右画像とを独立して得ることができる。この画像分離は、撮像素子５４に画像読み出し領域を設定して読み出すことにより分離してもよく、撮像素子５４の全ての画素を読み出して画像切り出しをして分離してもよい。
【０１９７】
図３０（Ｃ）に示すように、画像分離の他例として、時分割手法がある。この場合、プリズム７６に代えて合波プリズム７７を用いる。合波プリズム７７は、屈曲レンズ部５０Ａからの光束と、屈曲レンズ部５０Ｂからの光束を、略同一光軸に合波して単一の撮像素子５４に収束させる。また合波プリズム７７は切替器７８による制御信号により、撮像素子５４に向かう光束を、屈曲レンズ部５０Ａからの光束、または屈曲レンズ部５０Ｂからの光束に選択的に切り替えることを可能とする。この切替素子は例えば液晶シャッタにより実現可能である。
【０１９８】
従って、単一の撮像素子５４には、左画像と右画像とを形成するための光束が切替器７８による制御信号により交互に投影させることができる。この切替器７８による制御信号して、撮像素子５４からの画素による画像を左画像または右画像とすることが可能となる。この場合も、撮像素子５４に画像読み出し領域を設定して読み出すことにより分離してもよく、撮像素子５４の全ての画素を読み出して画像切り出しをして分離してもよい。
【０１９９】
以上説明したように、本実施形態の複眼デジタルカメラによれば、撮像素子を単一かでき、単純な光学素子や電気素子で複数の撮像光学系を構成することができる。
【０２００】
上記各実施形態では、屈曲レンズ部の回動として、撮像素子へ向かう光軸を中心軸として回動させた場合を説明したが、撮像素子へ向かう光軸自体を傾斜させる場合（所謂あおり機能）を行う用にしても良い。このあおり機能は、上述の回動による画像の回転に伴う画像のズレ補整に有効に機能する。
【０２０１】
なお、上記各実施の形態の画像処理ルーチンをプログラム化して、そのプログラムをＣＰＵにより実行するようにしてもよい。
【符号の説明】
【０２０２】
１…複眼デジタルカメラ
６…撮像ユニット
７…液晶モニタ
３１…回動制御部
３３…角度センサ
３５…ＣＰＵ
５０…屈曲レンズ部
５１…回動駆動部
５２…撮像レンズ群
５３…鏡筒
５４…撮像素子
５５…ハウジング
６０…画像読み出し領域
【図１】
2011239207.tif 000003
【図２】
2011239207.tif 000004
【図３】
2011239207.tif 000005
【図４】
2011239207.tif 000006
【図５】
2011239207.tif 000007
【図６】
2011239207.tif 000008
【図７】
2011239207.tif 000009
【図８】
2011239207.tif 000010
【図９】
2011239207.tif 000011
【図１０】
2011239207.tif 000012
【図１１】
2011239207.tif 000013
【図１２】
2011239207.tif 000014
【図１３】
2011239207.tif 000015
【図１４】
2011239207.tif 000016
【図１５】
2011239207.tif 000017
【図１６】
2011239207.tif 000018
【図１７】
2011239207.tif 000019
【図１８】
2011239207.tif 000020
【図１９】
2011239207.tif 000021
【図２０】
2011239207.tif 000022
【図２１】
2011239207.tif 000023
【図２２】
2011239207.tif 000024
【図２３】
2011239207.tif 000025
【図２４】
2011239207.tif 000026
【図２５】
2011239207.tif 000027
【図２６】
2011239207.tif 000028
【図２７】
2011239207.tif 000029
【図２８】
2011239207.tif 000030
【図２９】
2011239207.tif 000031
【図３０】
2011239207.tif 000032